(57)【特許請求の範囲】
【請求項１】
無線通信システムのデバイスで使用するための無線フレーム構成回路であって、
無線フレーム用に、複数の異なる時分割複信構成、すなわち複数の異なるＴＤＤ構成間のどれかを選択するための制御回路であり、前記複数の異なるＴＤＤ構成は、対応する前記無線フレーム内で、それぞれ異なる、合計受信持続時間に対する合計送信持続時間の比を提供し、各ＴＤＤ構成は、各々が設定済みスロット長を含む複数のタイムスロットを有する、制御回路と、
前記制御回路によって選択された複数のＴＤＤ構成を使用して、前記無線通信システムにおける別のデバイスとのＴＤＤ通信を実行し、これにより、前記制御回路によって実行された選択に起因して前記複数の異なるＴＤＤ構成のうちの異なる幾つかの間でスイッチングするにもかかわらず、前記ＴＤＤ通信中の情報送信と情報受信との間でのスイッチングの平均周期を同じにするための送受信機回路と
を備え、
前記制御回路は、送信情報を含む送信スロットタイプ、受信情報を含む受信スロットタイプ、及び、送信情報と受信情報との双方を含む特別スロットタイプのうちの少なくとも１つから選択することによって、前記複数の異なるＴＤＤ構成を構築し、
前記制御回路は、前記特別スロットタイプを、制御オンリー領域と制御及びデータ領域との双方を有するように構成し、
前記制御オンリー領域は前記制御及びデータ領域よりも持続時間において短い、
無線フレーム構成回路。
【請求項２】
前記制御回路は、選択された前記複数のＴＤＤ構成において、受信から送信へのスイッチングが発生した場合に、前記送信スロットタイプおよび前記特別スロットタイプの少なくとも１つにおいてガード期間を含む、
請求項１に記載の無線フレーム構成回路。
【請求項３】
前記複数のタイムスロットは、複数のシンボルを含み、
前記制御回路は、前記ガード期間用に前記複数のシンボルを使用し、これにより、最小ガード期間オーバヘッドが前記複数のシンボルの０．７％から１．４％になる、
請求項２に記載の無線フレーム構成回路。
【請求項４】
前記制御回路は、前記特別スロットタイプの前記複数のタイムスロットを使用して、複数の無線フレームが、前記無線通信システムにおける、前記複数のタイムスロットのうちの十、又は、前記無線フレームの持続時間の半分の最小ＴＤＤ構成周期での複数のトラフィック変動に応じて、等しくない送信キャパシティと受信キャパシティとを有するように構成する、
請求項１から３のいずれか１項に記載の無線フレーム構成回路。
【請求項５】
前記特別スロットタイプの前記複数のタイムスロットは、ＨＡＲＱ−受信確認フィードバック、スケジューリングリクエスト、ＤＬ／ＵＬ空間ビームトラッキング情報、チャネル推定情報、微細な時間／周波数トラッキング情報、および、無線リンク問題の検出用情報のうちの少なくとも１つを含む制御情報を含む、
請求項１から４のいずれか１項に記載の無線フレーム構成回路。
【請求項６】
前記制御回路は、前記制御回路が前記スロット長を整数のサブスロットへと細分する動作の超低レイテンシモードの選択を可能にし、
１つ又は複数のサブスロットは前記無線フレームへのインクルージョン用に選択可能である、
請求項１から５のいずれか１項に記載の無線フレーム構成回路。
【請求項７】
予め定められた超低レイテンシ期間中の全てのトラフィックスケジューリングが、前記超低レイテンシモードに固有の、ＨＡＲＱラウンドトリップタイミングおよび伝送スケジューリングタイミングの少なくとも１つに従うように、前記超低レイテンシモードは前記予め定められた超低レイテンシ期間用に構成される、
請求項６に記載の無線フレーム構成回路。
【請求項８】
個々の無線フレームは、前記超低レイテンシモードに対応する前記サブスロットと、送信タイムスロット、受信タイムスロット、および、特別タイムスロットのうちの１つ又は複数とを含む、
請求項６または７に記載の無線フレーム構成回路。
【請求項９】
無線通信システムのデバイスで使用するための無線フレーム構成回路であって、
無線フレーム用に、複数の異なる時分割複信構成、すなわち複数の異なるＴＤＤ構成間のどれかを選択するための制御回路であり、前記複数の異なるＴＤＤ構成は、対応する前記無線フレーム内で、それぞれ異なる、合計受信持続時間に対する合計送信持続時間の比を提供し、各ＴＤＤ構成は、各々が設定済みスロット長を含む複数のタイムスロットを有する、制御回路と、
前記制御回路によって選択された複数のＴＤＤ構成を使用して、前記無線通信システムにおける別のデバイスとのＴＤＤ通信を実行し、これにより、前記制御回路によって実行された選択に起因して前記複数の異なるＴＤＤ構成のうちの異なる幾つかの間でスイッチングするにもかかわらず、前記ＴＤＤ通信中の情報送信と情報受信との間でのスイッチングの平均周期を同じにするための送受信機回路と
を備え、
前記制御回路は、前記制御回路が前記スロット長を整数のサブスロットへと細分する動作の超低レイテンシモードの選択を可能にし、
１つ又は複数のサブスロットは前記無線フレームへのインクルージョン用に選択可能であり、
スケジューリング信号がタイムスロットｍ内の所与のサブスロット位置と関連付けられ、対応するスケジューリングされた伝送が、タイムスロットｍ＋ｉ内の同じ前記所与のサブスロット位置で実行され、
ｉは１以上の整数であり、前記スケジューリングされた伝送タイムスロットが特別タイムスロットであるか送信／受信タイムスロットであるかに応じて、ある値を有している、
無線フレーム構成回路。
【請求項１０】
前記スケジューリングされた伝送タイムスロットが送信／受信タイムスロットである場合にｉ＝１であり、
前記スケジューリングされた伝送タイムスロットが特別タイムスロットである場合にｉ＝２である、
請求項９に記載の無線フレーム構成回路。
【請求項１１】
無線通信システムのデバイスで使用するための無線フレーム構成回路であって、
無線フレーム用に、複数の異なる時分割複信構成、すなわち複数の異なるＴＤＤ構成間のどれかを選択するための制御回路であり、前記複数の異なるＴＤＤ構成は、対応する前記無線フレーム内で、それぞれ異なる、合計受信持続時間に対する合計送信持続時間の比を提供し、各ＴＤＤ構成は、各々が設定済みスロット長を含む複数のタイムスロットを有する、制御回路と、
前記制御回路によって選択された複数のＴＤＤ構成を使用して、前記無線通信システムにおける別のデバイスとのＴＤＤ通信を実行し、これにより、前記制御回路によって実行された選択に起因して前記複数の異なるＴＤＤ構成のうちの異なる幾つかの間でスイッチングするにもかかわらず、前記ＴＤＤ通信中の情報送信と情報受信との間でのスイッチングの平均周期を同じにするための送受信機回路と
を備え、
前記制御回路は、前記制御回路が前記スロット長を整数のサブスロットへと細分する動作の超低レイテンシモードの選択を可能にし、
１つ又は複数のサブスロットは前記無線フレームへのインクルージョン用に選択可能であり、
タイムスロットｎ内の所与のサブスロット位置で送信した／受信されたデータに対応するＨＡＲＱ−ＡＣＫ信号を送信／受信するＨＡＲＱ回路を更に備え、
前記ＨＡＲＱ−ＡＣＫ信号はタイムスロットｎ＋ｊ内の同じ前記所与のサブスロット位置と関連付けられていて、
ｊは、前記データに対応する前記タイムスロットが特別タイムスロットであるか送信／受信タイムスロットであるかに応じた、１以上の整数である、
無線フレーム構成回路。
【請求項１２】
前記データに対応する前記タイムスロットが送信／受信タイムスロットである場合にｊ＝１であり、
前記データに対応する前記タイムスロットが特別タイムスロットである場合にｊ＝２である、
請求項１１に記載の無線フレーム構成回路。
【請求項１３】
前記制御回路は、送信情報を含む送信スロットタイプ、受信情報を含む受信スロットタイプ、及び、送信情報と受信情報との双方を含む特別スロットタイプのうちの少なくとも１つから選択することによって、前記複数の異なるＴＤＤ構成を構築する、
請求項９から１２のいずれか１項に記載の無線フレーム構成回路。
【請求項１４】
送信と受信との間のスイッチングの前記平均周期は、前記設定済みスロット長またはサブスロット長に等しい、
請求項１から１３のいずれか１項に記載の無線フレーム構成回路。
【請求項１５】
前記制御回路は、情報送信と情報受信との間でのスイッチングが前記設定済みスロット長と同程度まで頻繁に実行されるように前記複数のＴＤＤ構成を選択する、
請求項１から１４のいずれか１項に記載の無線フレーム構成回路。
【請求項１６】
前記制御回路は、
（ｉ）ｅＮＢからの無線リソース制御シグナリングに基づいて、又は、
（ｉｉ）予め定義されて格納された構成に従って、
前記複数のＴＤＤ構成の選択を実行する、
請求項１から１５のいずれか１項に記載の無線フレーム構成回路。
【請求項１７】
前記設定済みスロット長は、５０マイクロ秒であり、
各スロットは、複数の７０ＯＦＤＭ／ＳＣ−ＦＤＭＡシンボルを含む、
請求項１から１６のいずれか１項に記載の無線フレーム構成回路。
【請求項１８】
前記制御回路および前記送受信機回路は、前記複数のＴＤＤ構成の選択を実行して、選択された前記複数のＴＤＤ構成用に、前記無線フレームの持続時間の半分以下のハイブリッド自動再送要求ラウンドトリップ時間を維持する、
請求項１から１７のいずれか１項に記載の無線フレーム構成回路。
【請求項１９】
請求項１から１８のいずれか１項に記載の無線フレーム構成回路を備える
ｅＮＢ。
【請求項２０】
請求項１から１８のいずれか１項に記載の無線フレーム構成回路を備える
ＵＥ。
【請求項２１】
無線通信システムにおいて時分割複信通信、すなわちＴＤＤ通信を実行するための方法であって、
無線フレーム用に、複数の異なる時分割複信構成、すなわち複数の異なるＴＤＤ構成間を変化させる段階であり、前記複数の異なるＴＤＤ構成は、対応する前記無線フレーム内で、それぞれ異なる送信対受信比を提供し、各ＴＤＤ構成は、予め定められた一連の複数の異なるタイムスロット構造を有し、各タイムスロット構造は同じ送信時間間隔を含む、段階と、
前記無線通信システムにおいて、所与のＴＤＤ通信用に前記複数の異なるＴＤＤ構成の少なくとも１つを使用して別のデバイスとの送信および／または受信を実行する段階であり、前記少なくとも１つのＴＤＤ通信は、前記所与のＴＤＤ通信において複数の無線フレームを形成するのに使用され、これにより、前記所与のＴＤＤ通信中の情報送信と情報受信との間でのスイッチングの平均周期が、前記複数の異なるＴＤＤ構成の１つから前記複数の異なるＴＤＤ構成の別のものへの変化に関係なく同じとなる、段階と
を備え、
前記複数の異なるタイムスロット構造は、特別タイムスロット構造を含み、前記特別タイムスロット構造において、各タイムスロットは制御オンリー領域および制御及びデータ領域を有し、
前記制御及びデータ領域は送信データおよび受信データの一方を含み、前記制御オンリー領域は前記送信データの制御情報および前記受信データの制御情報の他方を含み、
前記制御オンリー領域は、前記送信時間間隔の３分の１未満を占める、
方法。
【請求項２２】
送信と受信との間のスイッチングの前記平均周期は、設定済みの前記送信時間間隔に等しい、又は、前記送信時間間隔の一部に等しい、
請求項２１に記載の方法。
【請求項２３】
ＵＥまたはｅＮＢに
請求項２１または２２に記載の方法を実行させるための
プログラム。
【請求項２４】
請求項２３に記載のプログラムを格納している、
コンピュータ可読媒体。
【発明の詳細な説明】
【技術分野】
【０００１】
［関連出願の相互参照］
本願は、２０１４年７月２１日に出願された、「低レイテンシＴＤＤ通信のためのシステム及び方法」と題する米国仮特許出願第６２／０２７，１１０号明細書の優先権を主張している、２０１４年１２月２２日に出願された、「ＴＤＤ通信のためのシステム及び方法」と題する米国非仮特許出願第１４／５８０，０２４号明細書の優先権を主張し、この全体の開示が参照によって本明細書に組み込まれている。
【０００２】
複数の実施形態は、コンテンツを配信することに関する。より具体的には、時分割複信通信によって無線でコンテンツを配信することに関する。
【背景技術】
【０００３】
無線移動通信技術は、様々な規格及びプロトコルを使用して、ノード（例えば、送信局）と無線デバイス（例えば、モバイルデバイス）との間でデータを送信する。幾つかの無線デバイスは、ダウンリンク（ＤＬ）送信において直交周波数分割多重接続（ＯＦＤＭＡ）を、アップリンク（ＵＬ）送信においてシングルキャリア周波数分割多重接続（ＳＣ−ＦＤＭＡ）を使用して通信する。信号伝送に直交周波数分割多重化（ＯＦＤＭ）を使用する規格及びプロトコルは、第３世代パートナーシッププロジェクト（３ＧＰＰ）Ｌｏｎｇ Ｔｅｒｍ Ｅｖｏｌｕｔｉｏｎ（ＬＴＥ）およびＬＴＥ−Ａｄｖａｎｃｅｄ（ＬＴＥ−Ａ）を含む。
【０００４】
３ＧＰＰ無線アクセスネットワーク（ＲＡＮ）ＬＴＥおよびＬＴＥ−Ａシステムにおいて、そのノードを、進化型ユニバーサル地上無線アクセスネットワーク（Ｅ−ＵＴＲＡＮ）ノードＢｓ（通例は進化型ノードＢｓ、拡張ノードＢｓ、ｅＮｏｄｅＢｓ、または、ｅＮＢｓとしても示される）と、無線ネットワーク制御装置（ＲＮＣｓ）との組み合わせにすることができる。当該ノードは、ユーザ機器（ＵＥ）として既知である無線デバイスと通信する。ＵＥの例には、モバイル端末、タブレットコンピュータ、携帯情報端末（ＰＤＡ）およびマシン型通信（ＭＴＣ）デバイスが含まれる。ダウンリンク（ＤＬ）送信を、ノード（またはｅＮｏｄｅＢ）から無線デバイス（またはＵＥ）への通信にすることができ、アップリンク（ＵＬ）送信を、無線デバイスからノードへの通信にすることができる。ｅＮｏｄｅＢｓを介する通信の代わりに、無線機器間の通信を、ピアツーピアまたはデバイスツーデバイス通信を使用して実行することができる。
【０００５】
現在はＬＴＥ／ＬＴＥ−Ａによって使用されていない、例えば６ＧＨｚより上の周波数帯域といった、ＬＴＥ／ＬＴＥ−Ａスペクトラムおよび／または高周波帯域スペクトラムを用いるＤ２Ｄ通信は、Ｂｌｕｅｔｏｏｔｈ（登録商標）（略１０〜１００ｍの範囲）およびＷｉ−Ｆｉ ｄｉｒｅｃｔ（略２００ｍの範囲）などの技術に比べて、複数の無線デバイス間での直接通信のための最大伝送距離を（おそらく１０００ｍ辺りまで）拡張できる可能性を提供する。これは、ピコセル／フェムトセル／リレーインフラストラクチャベースネットワークに必要とされるバックホール接続と潜在的に関連付けられる、コストおよびスケーラビリティ問題を減らすことができる。本技術によるＤ２Ｄ通信はまた、例えば、ピコセル、フェムトセルおよびリレー間の直接通信だけでなくＵＥのような無線デバイス間の直接通信といった、同じ階層の無線ネットワークでのネットワークエンティティ間または無線機器間の直接通信を伴うピアツーピア（Ｐ２Ｐ）通信を含んでもよい。無線機器は、少なくとも、ＵＥ、ピコセル、フェムトセルおよびリレーノードを含む。
【０００６】
ＬＴＥ／ＬＴＥ−Ａは、通信の周波数分割複信（ＦＤＤ）モードと時分割複信（ＴＤＤ）モードとの双方を提供する。現在のＬＴＥ−Ａの１００ＭＨｚ帯域幅制限より広いシステム帯域幅をサポートし、且つ、約５ミリ秒（ｍｓ）の現在のＬＴＥ／ＬＴＥ−Ａ 最小Ｕｓｅｒ ｐｌａｎｅレイテンシ、及び、約８ミリ秒のハイブリッド自動再送要求（ＨＡＲＱ）ラウンドトリップ時間（ＲＴＴ）に比べて低減されたレイテンシを提供すべく、４Ｇ ＬＴＥ／ＬＴＥ−Ａ無線通信システムが５Ｇへと進化する必要がある。自動再送要求（ＡＲＱ）が再送プロトコルであると、受信機が受信されたデータにおけるエラーを確認し、エラーを検出すると、そのデータを破棄し、送信機からの再送信を要求する。ハイブリッドＡＲＱ（ＨＡＲＱ）が再送プロトコルであると、受信されたデータにエラーが検出された場合に、受信機がデータをバッファし、送信機からの再送信を要求する。ＨＡＲＱ受信機は、チャネル復号およびエラー検出より前に、再送信されたデータをバッファされたデータと組み合わせることによって、再送信の性能を改善する。また、送信および／または受信に対しての、動的に変動するトラフィックデマンドを受け入れる一方で、低減されたレイテンシを確実にサポートすべきとの要求もある。
【図面の簡単な説明】
【０００７】
本明細書で説明される複数の実施形態は、添付の図面において、限定するものとしてではなく、例示として示されている。
【図１】通常モードＨＡＲＱ−ＡＣＫタイミングを示す複数の異なるＴＤＤ構成を概略的に示している。
【図２】通常スロット用および特別スロット用のダウンリンク（ＤＬ）およびアップリンク（ＵＬ）領域構造を概略的に示している。
【図３】ＵＬ／ＤＬ構成が図１の構成３から構成５へ変化する場合のＨＡＲＱタイミングを概略的に示している。
【図４】通常トラフィックを有する超低レイテンシ（ＵＬＬ）トラフィックの多重化を概略的に示している。
【図５】様々な実施形態による、基地局またはｅＮＢ回路を概略的に示している。
【図６】図５の基地局回路によって実行されるＴＤＤ通信プロセスを概略的に示しているフローチャートである。
【図７】様々な実施形態による、ＵＥ回路を概略的に示している。
【図８】図７のＵＥ回路によって実行されるＴＤＤ通信プロセスを概略的に示しているフローチャートである。
【図９】様々な実施形態による例示的システムである。
【図１０】図５の基地局回路によって実行される図６のＴＤＤ通信プロセスの異なる態様を概略的に示しているフローチャートである。
【図１１】図７のＵＥ回路によって実行される図８のＴＤＤ通信プロセスの異なる態様を概略的に示しているフローチャートである。
【図１２】幾つかの実施形態による例示的システムを概略的に示している。
【図１３】無線デバイスに実装される、図１２のシステムを概略的に示している。
【発明を実施するための形態】
【０００８】
以下の詳述な説明は、添付の図面を参照する。複数の同じ参照番号は、複数の同じ又は同様の要素を識別すべく、異なる図面において使用され得る。以下の説明では、限定する目的ではなく、説明の複数の目的で、請求される本発明の様々な態様の十分な理解を提供すべく、複数の特定の構造、アーキテクチャ、インタフェース、技術等の複数の具体的な詳細が記載される。しかしながら、請求される本発明の様々な態様はこれらの具体的な詳細から離れた他の複数の例において実施され得ることが、本開示の利益を享受する当業者に明らかとなるであろう。ある特定の例では、不必要な詳細によって本発明の説明を不明瞭にしないように、既知のデバイス、回路および方法の説明が省略される。 
【０００９】
通信システムにおいて、レイテンシは、複数の重要な性能インジケータの１つであり、リアルタイムインタラクションアプリケーションにとって重要である。現在のＬＴＥ／ＬＴＥ−Ａｄｖａｎｃｅｄシステムにおいて、データパケットの最初の送信から物理層受信確認の受け取りまでの間の平均時間として定義される最小Ｕｓｅｒ ｐｌａｎｅレイテンシは、５ｍｓである。更に、最小ハイブリッド自動再送要求（ＨＡＲＱ）ラウンドトリップ時間（ＲＴＴ）は８ｍｓであり、ＴＤＤにおける幾つかのサブフレームは、既存のＵＬ／ＤＬサブフレーム構成における制限に起因して、より長いＨＡＲＱ ＲＴＴを有している。 
【００１０】
無線通信システムの５Ｇ代において、３Ｄストリーミングおよびリアルタイム仮想体験などの複数のアプリケーションがサポートされる必要があるかもしれない。これらは、１０〜１００ギガバイト毎秒のデータレートと極低レイテンシを必要とすることが予期される。（１ｍｓのラウンドトリップ要件では、物理層でのタイムバジェットは約１００ｕｓ ０である。以下の図５の説明より前の参照（１）から（５）のリストを見ること。）これらの要件に適合すべく、現在のＬＴＥ−Ａｄｖａｎｃｅｄシステム（最大１００ＭＨｚ）よりはるかに広いシステム帯域幅をサポートできる、例えば６ＧＨｚよりも上の周波数帯域といった高周波帯域での新しい無線アクセス技術（ＲＡＴ）が開発される必要があるかもしれない。 
【００１１】
高周波帯域（ＨＦＢ）無線アクセス技術（ＲＡＴ）での動作にとって、大多数の送信／受信アンテナに基づく送信及び受信ビームフォーミング技術が非常に重要である。なぜならば、その技術によって、ＨＦＢチャネルにおける多大なパスロスを補償できるためである。高周波帯域は、現在のＬＴＥ上限である３．５ＧＨｚよりも上の周波数であってもよいが、幾つかの実施形態では、６ＧＨｚよりも上の周波数である。更に、チャネル相互作用（リシプロシティ）によって、必要とされるチャネル状態情報（ＣＳＩ）フィードバックのオーバヘッドを低減できることを考慮すれば、大規模多入力多出力（ＭＩＭＯ）システムにとって、時分割複信（ＴＤＤ）がより好適である。
【００１２】
スモールセルのインドア配置を仮定して、Ｂｅｙｏｎｄ ４Ｇ ＴＤＤシステムにおける低い物理層レイテンシを可能にすべく、サイクリックプレフィックスおよびガード期間に対して複数のＮｕｍｅｒｏｌｏｇｙが文書０で提案された。しかしながら、ＴＤＤ ＵＬ／ＤＬ構成、サブフレーム長およびＵＬスケジューリング／ＨＡＲＱタイミングなどの詳述な設計には更なる研究の余地があった。
【００１３】
本開示では、ＨＦＢ ＲＡＴ用に異なるＴＤＤ ＵＬ／ＤＬ構成を提示する。これは、ＨＡＲＱ ＲＴＴ遅延を増大させることなく、システムにおける様々なＵＬ／ＤＬトラフィック比を受け入れることができ、従って、数百マイクロ秒または百マイクロ秒未満のオーダーの最小Ｕｓｅｒ ｐｌａｎｅレイテンシを達成できる。
【００１４】
表１は、ＨＦＢ ＲＡＴ用の例示的システムパラメータを示している。各スロットは、７０ＯＦＤＭシンボルから成り、これは、現在のＬＴＥスロットにおけるＯＦＤＭシンボルの数より１０倍大きい（２０１４年７月３日付で利用可能な３ＧＰＰ ＴＳ ３６．２１１ ｖ１２.２．０）。従って、時間領域におけるスロットレベルスケジューリングは、ベースライン送信時間間隔（ＴＴＩ）構成として仮定されている。これは１つの例示的システム構成であって、ＯＦＤＭ以外の変調スキームおよび表１で特定されるもの以外のシステムパラメータが排除されていないことに留意されたい。例えば、異なるスロットおよびフレーム長と、スロット当たりの異なるシンボル数である。しかしながら、複数の実施形態によるタイムスロット当たりのシンボル数は、既知の４Ｇ ＬＴＥ ＴＤＤフレーム構造のガード期間オーバヘッドに比べて縮小したガード期間オーバヘッドを許容すべきである。複数の実施形態はまた、異なる無線フレーム構成の選択と、それらの構成のうちの少なくとも２つの間でのスイッチングとが、送信イベント中に実行されることを可能にするシステムパラメータを有する。これにより、本技術による複数のスロットタイプと複数の構造とを含む、複数の予め定められた構成のセットから選択された構成に関係なく、情報送信と情報受信との間でのスイッチング平均周期を保証することができる。
【００１５】
幾つかの実施形態におけるスイッチング平均周期は、設定済みスロット長である。他の複数の実施形態では、スイッチング平均周期は、例えば２から９までのスロット長またはサブスロット長といった、複数のスロット長である。複数の実施形態は、既知の４Ｇ ＬＴＥ ＴＤＤよりも多くのシンボルを所与のタイムスロットに受け入れることが可能であるシステム帯域幅を有する。例えば、１００ＭＨｚ以上のシステム帯域幅を使用して、レイテンシ制御およびＨＡＲＱ-ＲＴＴ低減に有用な、保証されたスイッチング平均周期を達成してもよい。
【００１６】
表１：ＨＦＢ ＲＡＴ用の例示的システムパラメータ
【表１】
0006391073.tif 000002
【００１７】
実施形態１：ＨＦＢ ＲＡＴ用の低レイテンシＴＤＤ ＵＬ／ＤＬ構成
【００１８】
ＬＴＥ ＴＤＤシステムにおいて、ユーザ機器（ＵＥ）のタイミングアドバンス（ＴＡ）をサポートし、且つ、タイムバジェットを（基地局用の）送信から受信へのスイッチングおよび（ＵＥ用の）受信から送信へのスイッチングに提供すべく、ガード期間（ＧＰ）がダウンリンク（ＤＬ）領域とアップリンク（ＵＬ）領域との間と定義される。ＵＬ領域からＤＬ領域にスイッチングする場合、３ＧＰＰ ＴＳ ３６．２１１ ｖ１２.２．０において２０．３１２μｓに設定されている、ＵＬフレームスタートタイミングとＤＬフレームスタートタイミングとの間の固定されたタイミングオフセットを使用することによって、ＧＰを要することなく、送受信機モードスイッチング用のタイムバジェットを取得できる。
【００１９】
ＵＥのＤＬフレームタイミングに関するタイミングアドバンス（ＴＡ）値は、基地局（ＢＳ）受信機での時間アラインメントに必要とされ、ＵＥとＢＳとの間の略ラウンドトリップ伝搬遅延である。例えば、最大ラウンドトリップ伝搬遅延は、ミリ波帯、および／または、密集した都市特有のスモールセル配置シナリオにとって典型的なセルサイズかもしれない、２００ｍセル半径の最大セルサイズに対して、１．３３μｓである。
【００２０】
送受信機モードスイッチングの遅延は、主に、ＲＦスイッチの立ち上がり／下がり時間に依存する。既存の構成要素技術が、ＲＦスイッチングでの、５ｎｓ ０程度に短い立ち上がり／下がり時間および３５ｎｓ／１００ｎｓ ０の典型的／最大立ち上がり時間を既にサポートできていることを考慮すると、送受信機モードスイッチングでの〜５０ｎｓのタイムバジェットは、２０２０年以降に広くデプロイされるであろうシステムにとって十分かもしれない。
【００２１】
所与のＵＥのＴＡ値（ＵＬフレームとＤＬフレームとの間の固定されたタイミングオフセットを含む）と受信−送信スイッチング時間とを受け入れるのに必要とされるＧＰ長さＴＧは、ＴＧ＝２・ＴＰ＋２・Ｄｓである。この式において、ＴＰは伝搬遅延であり、Ｄｓは送受信機スイッチング遅延である。従って、表１に与えられたシステムパラメータによれば、サイクリックプレフィックス（ＣＰ）持続時間を含む１つ又は２つのＯＦＤＭシンボル長は、最大セルサイズが２００ｍ以下と仮定されているスモールセルネットワークに適したＧＰ長さである。ＵＬフレームスタートタイミングとＤＬフレームスタートタイミングとの間の固定されたタイミングオフセットが４７．５３ｎｓ（＝１４６Ｔｓ）であると仮定された場合、１つのＯＦＤＭシンボル長さＧＰを定義することによって、半径９２．９ｍ内のＵＥを供給できる。１００μｓサブフレームの１４０ＯＦＤＭシンボルの範囲外の１つ又は２つのＯＦＤＭシンボルを予約すると、その結果として、ＧＰに対して０．７〜１．４％のオーバヘッドとなる。これは、現在のＴＤＤ ＬＴＥシステムのスロット毎にＵＬ／ＤＬスイッチングが発生する場合の最小ＧＰオーバヘッド（１４ＯＦＤＭシンボルの範囲外の１〜２ＯＦＤＭシンボル）の１０分の１である。従って、表１と同様のＮｕｍｅｒｏｌｏｇｙで定義されるシステムにおいて、５０μｓ毎と略同じ頻度で、ＵＬからＤＬへのスイッチング、又は、ＤＬからＵＬへのスイッチングを発生させることができる。現在のＬＴＥシステムでは、１４０ＯＦＤＭ／ＳＣ−ＦＤＭＡシンボルの範囲外の最大２０ＯＦＤＭ／ＳＣ−ＦＤＭＡシンボルがＧＰオーバヘッドとして許容されている。従って、最大１４％のＧＰオーバヘッドを保持すると、スロットベースのＵＬ／ＤＬスイッチング又はＤＬ／ＵＬスイッチングは、ほぼ２ｋｍまでのセルサイズをサポートできる。
【００２２】
表１におけるＨＦＢ ＲＡＴのサンプリング時間をＬＴＥサンプリング時間の１００分の１として定義すると、ＨＦＢ ＲＡＴの処理時間もまた、ＬＴＥ処理時間の凡そ１００分の１であると仮定できる。１４ＯＦＤＭシンボルに対しては、現在のＬＴＥ ＨＡＲＱ ＲＴＴデザイン用の３ｍｓの処理時間が仮定された。（ＬＴＥと同じサブキャリア数での）７０ＯＦＤＭシンボルに対しては、ＨＦＢ ＲＡＴの処理時間を、下記の数１と同程度に低く予測できる。
【数１】
0006391073.tif 000003
【００２３】
上記の数１において、ｕｓまたはμｓは、マイクロ秒を意味している。図１は、異なるＵＬ／ＤＬ比の複数のＵＬ／ＤＬ構成を示している。これらは、全ての構成に対して、０．７〜１．４％のＧＰオーバヘッドと、９又は１０スロット（４５０又は５００μｓ）のＵＬ ＨＡＲＱ ＲＴＴおよびＤＬ ＨＡＲＱ ＲＴＴの双方と共に、５０μｓ毎と同じ頻度でＵＬ／ＤＬスイッチングすることを可能にしている。ＵＬ／ＤＬ構成０が通常スロットから成る一方で、ＵＬ／ＤＬ構成１−６は通常スロットおよび特別スロットの双方を備えている。通常スロットの第１のタイプはダウンリンク（Ｄ）通常スロット１０２であり、第２のタイプはアップリンク（Ｕ）通常スロット１０４である。２つのタイプの特別スロット、すなわち、（Ｕ，Ｄ'）特別スロット１０６および（Ｄ，Ｕ'）特別スロット１０８もあり、下線は、特別スロット内でより短い制御部分を示している。
【００２４】
図１における複数の構成上の複数の矢印は、ＨＡＲＱ−ＡＣＫ通信を表わしている。例えば、Ｕタイプ通常スロット１１０は、Ｄタイプ通常スロット１１２用のＡＣＫを運ぶが、特別スロット１１４のＤ'部分用のＡＣＫも運ぶ。同様に、図１の構成４におけるＤタイプ通常スロット１２２は、Ｕタイプ通常スロット用のＡＣＫと、特別スロット１２６のＵ'部分用のＡＣＫとを運ぶ。全ての構成に対して、スロット０、１、８、９、１０、１１、１８及び１９は、同じパターンを有する。従って、これらのスロットを、必要があれば、ブロードキャストチャネル（例えばＰＢＣＨ）およびセル固有の同期信号の送信に使用することができる。図２は、通常スロットおよび特別スロット用のＤＬ領域構造およびＵＬ領域構造を示している。通常スロットおよび特別スロットの双方が同じ５０μｓの持続時間を有することに留意されたい。
【００２５】
通常スロットは、（図１において「Ｄ」と示されている）ＤＬ領域だけ、又は、（図１において「Ｕ」と示されている）ＵＬ領域だけから成る。Ｄタイプ通常スロット２１０は、ＤＬ制御部分２１２とＤＬデータ部分２１４とを含む。Ｕタイプ通常スロット２２０は、１つ又は２つのシンボルガード期間２２２と、ＵＬ制御部分２２４と、ＵＬデータ部分２２６とを含む。特別スロットは、（図１において「Ｕ」および「Ｄ」として示されている）ＵＬ（又はＤＬ）制御オンリー領域、及び、（図１においてＤ'およびＵ'として示されている）縮小ＤＬ（又はＵＬ）領域から成る。とりわけ、特別スロットタイプ（Ｕ，Ｄ'）２３０は、ガード期間２３２と、ＵＬ制御部分２３４と、ＤＬ制御部分２３６と、ＤＬデータ部分２３８とを含む。特別スロットタイプ（Ｄ，Ｕ'）２４０は、ＤＬ制御部分２４２と、ガード期間２４４とＵＬデータ部分２４６とを含む。特別スロット２３０、２４０におけるＵＬ（又はＤＬ）制御オンリー領域２３４または２４２は、スロット長の３分の１未満を占め、スロット長の残りは、縮小ＤＬ２３８（又はＵＬ２４６）領域に与えられる。 
【００２６】
最初の１つ又は２つのＯＦＤＭシンボル長は、ＴＡにタイムバジェットを提供し、スイッチング時間を提供する目的で、ＤＬ領域からスイッチングされた場合のＵＬ領域におけるＧＰ用に予約されることに留意されたい。特別スロットにおけるＵＬ／ＤＬ制御領域の長さは、（例えばシステム情報を介して）システム全体の態様で構成されることができ、基地局およびＵＥの双方において、複数構成が予め定義されて格納されることができる。
【００２７】
連続ＤＬ（又はＵＬ）伝送が非対称トラフィックパターンを受け入れることを必要とされた場合でさえも、特別スロットは、複数のリソースに、ＵＬ（又はＤＬ）制御チャネルおよび基準信号の短いバーストを提供するように定義される。これらの短い制御オンリー領域（Ｕ２３４およびＤ２４２）は、ＨＡＲＱ−ＡＣＫフィードバック、スケジューリングリクエスト、ＤＬ／ＵＬ空間ビームトラッキングおよびチャネル推定、微細な時間／周波数トラッキング、並びに、無線リンク問題の高速検出などの、様々な目的で使用することができる。高周波帯域のチャネルが数百マイクロ秒 ０のオーダーで変化し得るので（例えば、６０ＧＨｚで、６０ｋｍ／ｈで移動しているＵＥに対して３．３３ＫＨｚのドップラースプレッド）、特別スロットにおけるＵＬ（又はＤＬ）制御領域の短い期間は、低いＨＡＲＱ ＲＴＴを維持することに加えて、高速ＵＥに対する、迅速な物理層問題の測定および報告を支援することができる。縮小ＵＬ領域において、ＵＬ制御領域は別々に定義されないが、ＵＬ制御情報は、必要があれば、ＵＬデータと共に多重化され得る。ＨＡＲＱ−ＡＣＫタイミングおよびＵＬスケジューリングタイミングは、以下のように決定される。
【００２８】
ＨＡＲＱ−ＡＣＫタイミング
【００２９】
前提：１スロット内で制御及びデータシンボルをデコードすべく、３＋εスロット（０≦ε＜１）の最小処理時間
【００３０】
ベースライン：スロットｎでＤＬ（又はＵＬ）伝送を受信し、スロットｎ＋５でＨＡＲＱ−ＡＣＫフィードバックを送信する。ＮＡＣＫ応答用に、スロットｎ＋１０で後続の再伝送が発生する。従って、ＨＡＲＱ−ＡＣＫラウンドトリップ時間は１０スロット（＝５００μｓ）である。
【００３１】
縮小長さＤＬ（又はＵＬ）領域用に、スロットｎでＤＬ（又はＵＬ）伝送を受信し、スロットｎ＋４でＨＡＲＱ−ＡＣＫフィードバックを送信する。ＮＡＣＫ応答用に、スロットｎ＋１０で後続の再伝送が発生する。従って、ＨＡＲＱ−ＡＣＫラウンドトリップ時間は９スロット（＝４５０μｓ）である。
【００３２】
ＵＬスケジューリングタイミング
【００３３】
ベースライン：スロットｎ＋５でのＵＬ伝送用に、スロットｎでＵＬスケジューリング許可を受信する。
【００３４】
縮小ＵＬ領域での伝送を目的として、スロットｎ＋４でのＵＬ伝送用に、スロットｎでＵＬスケジューリング許可を受信する。
【００３５】
トラフィック変動に応じて、５００μｓの最小周期（数十の表１タイムスロット）でＵＬ／ＤＬ構成を変化させることができる。更に、ＨＡＲＱ−ＡＣＫタイミングおよびＵＬスケジューリングタイミングの上記ルールは、２つの異なるＵＬ／ＤＬ構成の境界に一貫して適用可能である。図３は、ＵＬ／ＤＬ構成が構成３から構成５へとスイッチングされた場合の、ＵＬおよびＤＬ ＨＡＲＱ−ＡＣＫフィードバックタイミングを示している。５００μｓの第１の持続時間３１２では、８：２のＤＬ：ＵＬ比を有する構成３が選択されているが、第２の連続する５００μｓの持続時間３１４に対しては、通信を実行するのに、３：７のＤＬ：ＵＬ比を有する構成５が使用される。２つの異なるＴＤＤ構成間のスイッチングにもかかわらず、（設定済みスロット長に等しい）５０μｓのＵＬとＤＬとの間のスイッチングの平均周期が保証されている。図３において異なるスロットを接続している複数の矢印は、複数のＨＡＲＱ−ＡＣＫ信号に対応している。この実施形態では、通常スロット用のＡＣＫが後で５つのスロットに対しスケジューリングされる一方で、特別スロット用のＡＣＫが後で４つのスロットに対しスケジューリングされることに留意されたい。これは、同じ後のタイムスロットにおいて、特別スロットおよび通常スロットのためのＡＣＫの多重化を許容している。 
【００３６】
提案されるデザインの利点：現在のＬＴＥ ＴＤＤシステムにおいて、幾つかのサブフレームが、限定された数のＵＬサブフレームに起因して、２より多くのＰＤＳＣＨ伝送の、長いＨＡＲＱ ＲＴＴ遅延とＨＡＲＱ−ＡＣＫバンドリング／多重化を有する（３ＧＰＰ ＴＳ３６．２１３ ｖ１２．２．０における表１０．１．３．１−１）。例えば、ＬＴＥ ＴＤＤ ＵＬ／ＤＬ構成２において、ダウンリンク伝送と、関連付けられたＨＡＲＱフィードバックの伝送との間の時間間隔は最大８ｍｓであり、４つのＤＬサブフレーム用のＡＣＫ／ＮＡＣＫ応答は１つのＵＬサブフレーム上で伝送される。しかしながら、提案されるＴＤＤ ＵＬ／ＤＬ構成は、全ての構成に対して５００ｕｓ内のＨＡＲＱ ＲＴＴを維持し、ＨＡＲＱ−ＡＣＫバンドリング／多重化は、２つのＰＤＳＣＨ/ＰＵＳＣＨ伝送に限定される。これは、ＨＡＲＱ−ＡＣＫフィードバック性能への影響を最小化する。更に、全ての構成に対して、低いＧＰオーバヘッドが維持される。
【００３７】
実施形態２：高周波帯域無線アクセス技術（ＨＦＢ ＲＡＴ）における超低レイテンシ動作モードのサポート
【００３８】
超低レイテンシ要件（例えば１００μｓのオーダーのＨＡＲＱ ＲＴＴ）でトラフィックを供給すべく、１スロット（５０μｓ）より短いＴＴＩがサポートされることを必要とするかもしれない。例えば１４ＯＦＤＭシンボル以下のパケットサイズ（すなわち、１０μｓ以下のＴＴＩ）といった短いデータパケット用に、ＨＦＢ ＲＡＴで予期される処理時間は、下記の数２と同程度に低い。
【数２】
0006391073.tif 000004
【００３９】
従って、信号の受信、及び、受信されたデータシンボルのデコードを１スロット（５０μｓ）内で行うことができ、ＨＡＲＱ−ＡＣＫフィードバックは後続のスロットで伝送される。すなわち、以下のように、１００μｓのＨＡＲＱ ＲＴＴを実現できる。
【００４０】
前提：１４ＯＦＤＭシンボルから成る１サブスロット内で制御及びデータシンボルをデコードすべく、３０＋δμｓ（０＜δ＜１０μｓ）の最小処理時間
【００４１】
ＨＡＲＱ−ＡＣＫタイミング：
【００４２】
ベースライン：スロットｎのサブスロットｍでＤＬ（又はＵＬ）伝送を受信し、スロットｎ＋１のサブスロットｍでＨＡＲＱ−ＡＣＫフィードバックを送信する。ＮＡＣＫ応答用に、スロットｎ＋２のサブスロットｍで後続の再伝送が発生する。従って、ＨＡＲＱ−ＡＣＫラウンドトリップ時間は１００μｓである。
【００４３】
構成１〜６において、超低レイテンシモードＨＡＲＱ−ＡＣＫフィードバック用にスロットｎ＋１のサブスロットｍが利用不可能であるならば、超低レイテンシトラフィックはスロットｎのサブスロットｍでスケジューリングされない。
【００４４】
縮小ＤＬ（又はＵＬ）領域用に、スロットｎのサブスロットｍでＤＬ（又はＵＬ）伝送を受信し、スロットｎ＋２でＨＡＲＱ−ＡＣＫフィードバックを送信する。ＮＡＣＫ応答用に、スロットｎ＋３のサブスロットｍで後続の再伝送が発生する。従って、ＨＡＲＱ−ＡＣＫラウンドトリップ時間は１５０μｓである。
【００４５】
ＵＬスケジューリングタイミング：
【００４６】
通常スロットのため、スロットｎ＋１でのＵＬ伝送用に、スロットｎでＵＬスケジューリング許可を受信
【００４７】
縮小ＵＬ領域のため、スロットｎ＋２でのＵＬ伝送用に、スロットｎでＵＬスケジューリング許可を受信
【００４８】
超低レイテンシ（ＵＬＬ）動作モードをサポートすべく、２つの代替案、又は、それらの組み合わせを使用することができる。
【００４９】
代替案１：一定期間に対しＵＬＬ動作モードを半静的に構成し（例えば、モード変更が５００μｓと同じ頻度で発生する）、その期間中にスケジューリングされる全てのＵＥは、超低レイテンシＨＡＲＱおよびＵＬスケジューリングタイミングに従う。ＵＬＬモードで操作される別個のハードウェアを必要とすることなく、より短いＴＴＩサイズから処理時間減少が生じることに留意されたい。従って、システムにおける全てのＵＥがＵＬＬモードで動作可能であると仮定できる。ＵＬＬモードはシステム全体の態様で構成されるので、ＵＬＬモードの開始時間及び終了時間は、システム情報の伝送によって示されることができる。更に、低レイテンシ動作用の一定期間を構成することは、レガシＬＴＥキャリアにおいて新しい低レイテンシ動作モードが使用される場合に適用可能である。
【００５０】
代替案２：図４に示されるように、超低レイテンシトラフィック（ＵＬＬ）４１２が、１スロット４１０（この場合、５０μｓスロット）内で通常モードトラフィック４１４と共存する、又は、ある一定のＵＬスロットおよびＤＬスロットがＵＬＬトラフィックだけのために構成され、例えば、５０μｓの通常モードスロット４２０に５つの１０μｓ ＤＬ ＵＬＬサブスロット４２２を含む。ＵＬＬトラフィックを通常モードトラフィックで多重化する目的で、例えば、最初の１つの１０μｓサブスロット（１４ＯＦＤＭシンボル）が低レイテンシ伝送用に使用され、４つのサブスロット（５６ＯＦＤＭシンボル）が通常モードトラフィックを運ぶ。各トラフィックは、自己の動作モードのＨＡＲＱおよびＵＬスケジューリングタイミングに従う。ＵＬおよびＤＬ制御チャネル構造は、通常モードＵＥおよびＵＬＬモードＵＥの制御情報が同じスロットで送信されることを必要としている場合に、複数制御チャネルの多重化を処理するように設計されるべきである。ＵＬＬモードは、特定のタイプのＵＥ（例えばトラフィックおよび自動車制御に専用のＵＥ）用に、または、特定のタイプのアプリケーションを実行しているＵＥ用に構成されるので、ＵＬＬ動作モードおよび対応するパラメータ設定は、ＵＥ固有のより高層のシグナリングによって示される。
【００５１】
スケジューリング遅延における更なる減少のために、サブスロット（この実施形態では１０μｓに対応する１４ＯＦＤＭシンボル）ベースのＵＬ／ＤＬスイッチングが考慮され得る。この場合、ＵＬ及びＤＬ（情報の送信及び受信）間のスイッチングの平均周期は、１０μｓの設定済みサブスロット長となるであろう。しかしながら、サブスロットベースのＵＬ／ＤＬスイッチングは、結果として、たとえスモールセルネットワークに対してであっても、より高いＧＰオーバヘッドをもたらす（非常に大きなセルに対してだけ、ＬＴＥにおける７〜１４％のＧＰオーバヘッドが発生することに留意されたい）。更に、サブスロットレベルスイッチングは、ＵＬ伝送とＤＬ伝送とが同時に起きる可能性があるため、隣接セル間の共存問題を引き起こすかもしれない。３０＋δ（μｓ）の処理時間を考慮すると、最大５つのＤＬサブスロット又はＵＬサブスロットを連結でき、これはベースライン動作として定義される。この連結に起因する追加のバッファレイテンシは４０μｓであり、これは、ＵＬＬ要件（例えば＜４００μｓ）を満たすことに殆ど影響しないであろう。
【００５２】
参照：
【００５３】
２０１３年７月にリスボンで行われた、将来のネットワーク＆モバイルサミットの会議録における、G. Wunder、M. Kasparick、T. Wild、F. Schaich、Y. Chen、S. Ten Brink、I. Gaspar、N. Michailow、A. Navarro、G. Fettweis、N. Cassiau、D. Ktenas、M. Dryjanski、S. PietrzykおよびB. Egedによる「5GNOW: Application Challenges and Initial Waveform Results」。
【００５４】
２０１３年４月１６日〜１８日の、２０１３年第１９回ヨーロッパ無線会議の会議録における、E. Lahetkangas、K. Pajukoski、G. Berardinelli、F. Tavares、E. Tiirola、I. Harjula、P. Mogensen、B. Raafによる「On the Selection of Guard Period and Cyclic Prefix for Beyond 4G TDD Radio Access Network」。
【００５５】
データシート「SKY13316-12LF: GaAs IC SPST Non-Reflective Switch 300 kHz-2.5 GHz」
【００５６】
データシート「BGS12SL6 0.1 - 6.0 GHz SPDT Switch in ultra small package with 0.77mm2 footprint」
【００５７】
２０１４年１月１１日のarXiv:1401 .2560v1 [cs.NI]における、S. Rangan、T. S. RappaportおよびE. Erkipによる「Millimeter Wave Cellular Wireless Networks: Potentials and Challenges」。
【００５８】
図５は、様々な実施形態による、基地局回路５００を示している。
【００５９】
幾つかの実施形態において、基地局回路５００は、進化型ＮｏｄｅＢ（ｅＮＢ）の一部であってもよい。基地局回路５００は、送信回路５１０および受信回路５１５と結合された制御回路５０５を含んでもよい。送信回路５１０および受信回路５１５は、各々、高周波帯域無線アクセス技術でデータを通信するように適合されてもよい。更に、送信回路５１０および受信回路５１５は、高周波帯域無線アクセス技術における超低レイテンシ動作モードをサポートしてもよい。送信回路５１０および受信回路５１５は、各々、１つ又は複数のアンテナ５２０と結合されてもよい。
【００６０】
本明細書で使用されるように、「回路」という用語は、１つ又は複数のソフトウェアもしくはファームウェアプログラムを実行する特定用途向け集積回路（ＡＳＩＣ）、電子回路、プロセッサ（共有、専用、もしくはグループ）、および／またはメモリ（共有、専用、もしくはグループ）、組み合わせ論理回路、および／または説明された機能を提供する他の適切な複数のハードウェア構成要素を指し、又はこれらの一部であり、又はこれらを含み得る。
【００６１】
制御回路５０５は、高周波帯域でのデータの通信と関連付けられた動作を実行するように適合されてもよい。制御回路５０５は、基地局に関連して、本開示における別の箇所で説明されるもののような、様々な動作を実行してもよい。
【００６２】
様々な実施形態において、制御回路５０５は、ユーザ機器（「ＵＥ」）が動作する予定のセルを提供するように適合されてもよい。このセルは、半径が略２００メートル未満のように、はっきりと限定されたサイズであってもよい。制御回路５０５は、時分割複信（「ＴＤＤ」）に基づいて、セル上で動作する予定のユーザ機器（「ＵＥ」）へのダウンリンク送信に、ダウンリンクデータをスケジューリングするよう適合されてもよい。更に、制御回路５０５は、アップリンク伝送でＵＥから受信されたアップリンクデータを処理してもよい。高周波帯域で効率的に通信すべく、制御回路５０５は、それぞれダウンリンク伝送用とアップリンク伝送用に、送信回路５１０と受信回路５１５との間で迅速にスイッチングしてもよい。このスイッチングは、瞬間的でなくてもよく、ゆえに、高周波帯域と関連付けられた１つ又は２つの直交周波数分割多重化（ＯＦＤＭ）シンボルの長さを有する、予め定められたガード期間によって促進されてもよい。その長さは、そのセルのサイズに基づく。
【００６３】
様々な実施形態において、基地局回路５００は、図６に示されるフローチャートに関して説明される処理６００を実行してもよい。
【００６４】
処理６００は、ユーザ機器（「ＵＥ」）が動作する予定のセルを提供するための動作６０５を含んでもよい。このセルは、半径が略２００メートル未満であってもよい。
【００６５】
処理６００は更に、時分割複信（「ＴＤＤ」）に基づいてＵＥにダウンリンクデータを送信するための動作６１０を含んでもよい。ゆえに、ダウンリンクデータと関連付けられた１つ又は複数のスロットは、アップリンクデータと関連付けられたスロットと交互積層されてもよい。
【００６６】
処理６００は更に、１つ又は２つの直交周波数分割多重化（「ＯＦＤＭ」）シンボルであるガード期間に基づいて、送信モードと受信モードとの間をスイッチングするための動作６１５を含んでもよい。この比較的短時間のガード期間は、依然として高周波帯域の要件を満たす一方で、送信モードと受信モードとの間のスイッチングに十分な持続時間を提供してもよい。一実施形態では、ガード期間は、送信モードと受信モードとの間のスイッチングと関連付けられた、伝搬遅延およびスイッチング遅延に基づいてもよい。処理６００は、ＴＤＤに基づいてＵＥからアップリンクデータを受信するための更なる動作６２０を含んでもよい。この動作６２０は、送信モードから受信モードへのスイッチングの動作６１５に依存してもよい。
【００６７】
図７は、様々な実施形態による、ユーザ機器（「ＵＥ」）回路７００を示している。ＵＥ回路７００は、送信回路７１０および受信回路７１５と結合された制御回路７０５を含んでもよい。送信回路７１０および受信回路７１５は、各々、高周波帯域無線アクセス技術でデータを通信するように適合されてもよい。更に、送信回路７１０および受信回路７１５は、高周波帯域無線アクセス技術における超低レイテンシ動作モードをサポートしてもよい。送信回路７１０および受信回路７１５は、各々、１つ又は複数のアンテナ７２０と結合されてもよい。
【００６８】
本明細書で使用されるように、「回路」という用語は、１つ又は複数のソフトウェアもしくはファームウェアプログラムを実行する特定用途向け集積回路（ＡＳＩＣ）、電子回路、プロセッサ（共有、専用、もしくはグループ）、および／またはメモリ（共有、専用、もしくはグループ）、組み合わせ論理回路、および／または説明された機能を提供する他の適切な複数のハードウェア構成要素を指し、又はこれらの一部であり、又はこれらを含み得る。
【００６９】
制御回路７０５は、高周波帯域でのデータの通信と関連付けられた動作を実行するように適合されてもよい。制御回路７０５は、ＵＥに関連して、本開示における別の箇所で説明されるもののような、様々な動作を実行してもよい。
【００７０】
様々な実施形態において、制御回路７０５は、基地局によって提供されるセル上で動作するように適合されてもよい。このセルは、半径が略２００メートル未満のように、はっきりと限定されたサイズであってもよい。制御回路７０５は、時分割複信（「ＴＤＤ」）に基づいて、基地局へのアップリンク送信に、アップリンクデータをスケジューリングするように適合されてもよい。更に、制御回路７０５は、ダウンリンク伝送で基地局から受信されたダウンリンクデータを処理してもよい。高周波帯域で効率的に通信すべく、制御回路７０５は、それぞれアップリンク伝送用とダウンリンク伝送用に、受信回路７１０と送信回路７１５との間で迅速にスイッチングしてもよい。このスイッチングは、瞬間的でなくてもよく、ゆえに、高周波帯域と関連付けられた１つ又は２つの直交周波数分割多重化（ＯＦＤＭ）シンボルの長さを有する、予め定められたガード期間によって促進されてもよい。その長さは、そのセルのサイズに基づく。
【００７１】
様々な実施形態において、ＵＥ回路７００は、図８に示されるフローチャートに関して説明される処理８００を実行してもよい。
【００７２】
処理８００は、基地局によって提供されるセル上で動作するための動作８０５を含んでもよい。このセルは、半径が略２００メートル未満であってもよい。
【００７３】
処理８００は更に、時分割複信（「ＴＤＤ」）に基づいて基地局からダウンリンクデータを受信するための動作８１０を含んでもよい。ゆえに、ダウンリンクデータと関連付けられた１つ又は複数のスロットは、アップリンクデータと関連付けられたスロットと交互積層されてもよい。
【００７４】
処理８００は更に、１つ又は２つの直交周波数分割多重化（「ＯＦＤＭ」）シンボルであるガード期間に基づいて、受信モードと送信モードとの間をスイッチングするための動作８１５を含んでもよい。この比較的短時間のガード期間は、依然として高周波帯域の要件を満たす一方で、受信モードと送信モードとの間のスイッチングに十分な持続時間を提供してもよい。一実施形態では、ガード期間は、受信モードと送信モードとの間のスイッチングと関連付けられた、伝搬遅延およびスイッチング遅延に基づいてもよい。処理８００は、ＴＤＤに基づいて基地局にアップリンクデータを送信するための更なる動作８２０を含んでもよい。この動作８２０は、受信モードから送信モードへのスイッチングの動作８１５に依存してもよい。
【００７５】
本明細書で説明される複数の実施形態は、任意に適宜構成されるハードウェアおよび／またはソフトウェアを使用しているシステムへと実装されてもよい。図９は、一実施形態用に、少なくとも示されているように互いに結合された、無線周波数（ＲＦ）回路９１０と、ベースバンド回路９２０と、アプリケーション回路９３０と、メモリ／ストレージ９４０と、ディスプレイ９５０と、カメラ９６０と、センサ９７０と、入力／出力（Ｉ／Ｏ）インタフェース９８０とを備える例示的システムを示している。
【００７６】
アプリケーション回路９３０は、１つ又は複数のシングルコアまたはマルチコアプロセッサのような回路を含んでもよいが、これに限定されない。プロセッサは、汎用プロセッサおよび専用プロセッサ（例えばグラフィックプロセッサ、アプリケーションプロセッサ等）の任意の組み合わせを含んでもよい。プロセッサは、メモリ／ストレージと結合されてもよく、メモリ／ストレージに格納された命令を実行して、様々なアプリケーションおよび／またはオペレーティングシステムがそのシステム上で動作することを可能にするよう構成されてもよい。
【００７７】
ベースバンド回路９２０は、１つ又は複数のシングルコアまたはマルチコアプロセッサのような回路を含んでもよいが、これに限定されない。プロセッサは、ベースバンドプロセッサを含んでもよい。ベースバンド回路は、ＲＦ回路を介して、１又は複数の無線ネットワークとの通信を可能にする、様々な無線制御機能を処理してもよい。無線制御機能は、信号変調、エンコード、デコード、無線周波数シフト等を含んでもよいが、これらに限定されない。幾つかの実施形態において、ベースバンド回路９２０は、１又は複数の無線技術と互換性を有する通信を提供してもよい。例えば、幾つかの実施形態において、ベースバンド回路９２０は、進化型ユニバーサル地上無線アクセスネットワーク（ｅＵＴＲＡＮ）および／または他の無線メトロポリタンエリアネットワーク（ＷＭＡＮ）、無線ローカルエリアネットワーク（ＷＬＡＮ）、無線パーソナルエリアネットワーク（ＷＰＡＮ）との通信をサポートしてもよい。ベースバンド回路９２０が複数の無線プロトコルの無線通信をサポートするように構成される複数の実施形態は、マルチモードベースバンド回路と称され得る。
【００７８】
様々な実施形態において、ベースバンド回路９２０は、ベースバンド周波数にあるものとして厳密に見なされない、複数の信号で動作する回路を含んでもよい。例えば、幾つかの実施形態において、ベースバンド回路９２０は、ベースバンド周波数と無線周波数との間である中間周波数を有する複数の信号で動作する回路を含んでもよい。
【００７９】
ＲＦ回路９１０は、非固体媒体を介する変調電磁放射を使用して、無線ネットワークとの通信を可能にしてもよい。様々な実施形態において、ＲＦ回路９１０は、無線ネットワークとの通信を容易にすべく、複数のスイッチ、フィルタ、増幅器等を含んでもよい。
【００８０】
様々な実施形態において、ＲＦ回路９１０は、無線周波数にあるものとして厳密に見なされない、複数の信号で動作する回路を含んでもよい。例えば、幾つかの実施形態において、ＲＦ回路９１０は、ベースバンド周波数と無線周波数との間である中間周波数を有する複数の信号で動作する回路を含んでもよい。
【００８１】
様々な実施形態において、ＵＥまたは基地局に関して上記で議論された送信回路、制御回路または受信回路は、ＲＦ回路９１０、ベースバンド回路９２０および／またはアプリケーション回路９３０の１つ又は複数に、その全体が又はその一部が具現化されてもよい。
【００８２】
幾つかの実施形態において、ベースバンド回路、アプリケーション回路および／またはメモリ／ストレージの複数の構成部分のうちの幾つか又は全てが、システムオンチップ（ＳｏＣ）に一緒に実装されてもよい。
【００８３】
メモリ／ストレージは、例えばシステム用に、データおよび／または命令をロードおよび格納するのに使用されてもよい。一実施形態のメモリ／ストレージは、適切な揮発性メモリ（例えばダイナミックランダムアクセスメモリ（ＤＲＡＭ））および／または不揮発性メモリ（例えばフラッシュメモリ）の任意の組み合わせを含んでもよい。
【００８４】
様々な実施形態において、Ｉ／Ｏインタフェース９８０は、システムとのユーザインタラクションを可能にするよう設計された１つ又は複数のユーザインタフェース、および／または、システムとの周辺構成要素インタラクションを可能にするよう設計された周辺構成要素インタフェースを含んでもよい。ユーザインタフェースは、物理キーボード又はキーパッド、タッチパッド、スピーカ、マイク等を含んでもよいが、これらに限定されない。周辺構成要素インタフェースは、不揮発性メモリポート、ユニバーサルシリアルバス（ＵＳＢ）ポート、オーディオジャックおよび電源供給インタフェースを含んでもよいが、これらに限定されない。
【００８５】
様々な実施形態において、センサ９７０は、システムに関連する環境状況および／または位置情報を決定する、１つ又は複数のセンシングデバイスを含んでもよい。幾つかの実施形態において、センサは、ジャイロセンサ、加速度計、近接センサ、環境光センサおよび測位ユニットを含んでもよいが、これらに限定されない。測位ユニットはまた、例えばグローバルポジショニングシステム（ＧＰＳ）衛星といった測位ネットワークの複数の構成要素と通信すべく、ベースバンド回路９２０および／またはＲＦ回路９１０の一部であってもよいし、これらとインタラクトしてもよい。
【００８６】
様々な実施形態において、ディスプレイ９５０は、ディスプレイ（例えば液晶ディスプレイ、タッチスクリーンディスプレイ等）を含んでもよい。
【００８７】
様々な実施形態において、システムは、ラップトップコンピューティングデバイス、タブレットコンピューティングデバイス、ネットブック、ウルトラブック、スマートフォン等のモバイルコンピューティングデバイスを含んでもよいが、これらに限定されない。様々な実施形態において、システムは、それより多くの又は少ない構成要素を有してもよく、および／または、異なる複数のアーキテクチャを有してもよい。
【００８８】
図１０は、無線通信ネットワークで、ｅＮｏｄｅＢまたは基地局によって実施されるＴＤＤ通信プロセスを概略的に示している。代替的に、図１０のプロセスは、デバイスツーデバイスまたはピアツーピア通信の場合に、ピア無線ヘッドまたは別の通信制御エンティティによって実施されてもよい。プロセス要素１０１０では、ｅＮｏｄｅＢが、ｅＮｏｄｅＢを介した無線通信ネットワークでＵＥがｅＮｏｄｅＢとの通信および他のＵＥとの通信を実行する場合に、ＵＥが動作する予定の無線セルを提供する。デバイスツーデバイス通信の場合、媒介としてｅＮｏｄｅＢを使用することなく、複数のデバイス間で複数の接続を形成できる。
【００８９】
プロセス要素１０２０では、ｅＮｏｄｅＢが、無線フレームの構成用に、複数の利用可能なＴＤＤ構成を決定する。ｅＮｏｄｅＢの制御回路５０５は（図５を参照）、ＵＥ７２０への送信またはＵＥ７２０からの受信用に無線フレームをアセンブルする場合に（図７を参照）、複数の異なるＴＤＤ構成間のどれかを半静的または動的に選択するように構成される。図１に示されるように、複数の異なるＴＤＤ無線フレーム構成は、各々、予め定められた一連のタイムスロットを含み、タイムスロットは異なるタイプ（構造）を有する。とりわけ、複数のタイムスロットタイプは、送信（ＤＬ）タイムスロット、受信（ＵＬ）タイムスロット、及び、特別タイムスロットの２つの異なる例を含む。この実施形態では、送信タイムスロットおよび受信タイムスロットは、ＵＥではなくｅＮＢの視点（又は別の無線アクセスポイント）から見られる。デバイスツーデバイス通信を実装している複数の実施形態において、送信及び受信が、例えばｅＮＢからではなく、ピア無線ヘッドから行われ得ることが理解されるであろう。図２に示される特別タイムスロットの第１例は、ガード期間、制御オンリー受信（ＵＬ）部分、及び、制御及びデータ情報の双方を運んでいる送信（ＤＬ）部分を含む、特別スロット（Ｕ，Ｄ'）である。一実施形態では、送信（ＤＬ）部分は更に、ＤＬ制御サブ部分およびＤＬデータサブ部分を含むことができる。図２に示される特別タイムスロットの第２例は、制御オンリー送信（ＤＬ）部分、制御及びデータ情報の双方を運んでいる受信（ＵＬ）部分、及び、制御オンリーＤＬ部分とＵＬ部分との間のガード期間を含む、特別スロット（Ｄ，Ｕ'）である。一実施形態では、ＵＬ制御情報は、ＵＬ制御サブ部分とＵＬデータサブ部分とを別々に定義することなく、ＵＬ部分におけるＵＬデータ情報と多重化される。
【００９０】
図１に示されるように、ＴＤＤ構成０は、ＵＬタイムスロットおよびＤＬタイムスロットだけを含み、特別タイムスロットを含まない。その一方で、他の５つの異なるＴＤＤ構成は、ＵＬタイムスロット、ＤＬタイムスロット、及び、特別スロット（Ｕ，Ｄ'）および特別スロット（Ｄ，Ｕ'）の１つ又はその他を含む。特別スロット（Ｄ，Ｕ'）は、対応する無線フレームにおいてＤＬトラフィックキャパシティよりも多くのＵＬトラフィックキャパシティを提供すべく、ＴＤＤ構成に含まれ、その一方で、特別スロット（Ｕ，Ｄ'）は、対応する無線フレームにおいてＵＬキャパシティよりも多くのＤＬキャパシティを提供すべく、ＴＤＤ構成に含まれる。特別スロットの第１例と特別スロットの第２例との双方が、データだけでなく制御情報も運ぶ。特別スロットは、制御オンリー部分と制御及びデータ部分との間に非対称な持続時間を有し、これにより、制御オンリー部分は、制御及びデータ部分に比べて、持続時間において短い。
【００９１】
プロセス要素１０２０に戻ると、ｅＮｏｄｅＢの制御回路５０５は、（ｉ）推定又は予期されるＵＬ／ＤＬトラフィック比に応じて半静的に又は動的に、および／または、（ｉｉ）ｅＮｏｄｅＢのメモリに格納されている１つ又は複数の予め定義された構成に従って、図１の異なるＴＤＤ構成間のどれかを選択する。
【００９２】
プロセス要素１０３０では、ｅＮｏｄｅＢは、プロセス要素１０２０で選択されたＴＤＤ構成を使用してＵＥとのＴＤＤ通信を実行し、全体としてみれば、ＴＤＤ通信の無線フレーム構成は、送信モードと受信モードとの間のスイッチングがスロット長に等しい保証された平均スイッチング周期を有するようなものである。これは、既知のＬＴＥシステムで可能なものより、ＨＡＲＱラウンドトリップ時間のより密な制御を提供する。ＨＡＲＱラウンドトリップ時間は、スロット長を縮小することによって縮小できるが、本技術は、９又は１０スロットのＨＡＲＱ−ＡＣＫラウンドトリップ時間を可能にし、このスロット長は５０μｓである。
【００９３】
プロセス要素１０４０では、ｅＮｏｄｅＢは、プロセス要素１０２０で決定されたＴＤＤ構成に基づいて、ＤＬデータをＵＥに送信し、ＵＥからＵＬデータを受信する。
【００９４】
図１１は、ＵＥによって実施される、図８のＴＤＤ通信構成プロセスの代替的な図を概略的に示している。プロセス要素１１００では、ＵＥは、ｅＮｏｄｅＢによって提供されるセルに、又は、もしかしたら、デバイスツーデバイス通信の場合にピア無線ヘッド（ＰＲＨ）によって提供されるセルに居座る（camp）。プロセス要素１１１０では、ＵＥは、ｅＮＢからダウンリンク通信を受信し、又は、ＴＤＤ通信チャネルを介してＰＲＨを形成する。プロセス要素１１２０では、（ｉ）ｅＮＢ用に受信された無線リソース制御シグナリングに基づいて、又は、（ｉｉ）ＵＥのメモリにローカルに格納されている、予め定義されたＴＤＤ構成および／または予め定義されたＴＤＤ構成シーケンスに応じて、ＵＥ７２０の制御回路７０５が（図７を参照）、ＴＤＤ構成選択を実行する。プロセス要素１１３０では、ＵＥが、設定済みスロット長に実質的に等しい又は少なくとも略等しい、任意の所与の通信用の平均スイッチング周期で、送信モードと受信モードとの間をスイッチングする。代替的な複数の実施形態では、平均スイッチング周期は、例えば、（超低レイテンシの実施形態に関する限りでは）１サブスロットであってもよく、又は、もしかしたら急速な（例えば１０タイムスロット未満）周波数で送信と受信との間をスイッチングするときのプレディクタビリテイを可能にしている平均周期を提供する、任意の異なる持続時間であってもよい。
【００９５】
図１２は、幾つかの実施形態による、例示的システム１２００を示している。システム１２００は、１つ又は複数のプロセッサ１２４０と、複数のプロセッサ１２４０のうちの少なくとも１つと結合されたシステム制御ロジック１２２０と、システム制御ロジック１２２０と結合されたシステムメモリ１２１０と、システム制御ロジック１２２０と結合された不揮発性メモリ（ＮＶＭ）／ストレージ１２３０と、システム制御ロジック１２２０と結合されたネットワークインタフェース１２６０とを含む。システム制御ロジック１２２０はまた、入力／出力デバイス１２５０に結合されてもよい。
【００９６】
プロセッサ１２４０は、１つ又は複数のシングルコアまたはマルチコアプロセッサを含んでもよい。プロセッサ１２４０は、汎用プロセッサおよび専用プロセッサ（例えばグラフィックプロセッサ、アプリケーションプロセッサ、ベースバンドプロセッサ等）の任意の組み合わせを含んでもよい。プロセッサ１２４０は、適切な命令またはプログラムを使用して、上記で説明された方法を実行するように動作可能であってもよい（すなわち、プロセッサ、又は、他のロジック、命令の使用によって動作してもよい）。命令は、システムメモリ部分（無線フレーム構成モジュール）１２１５としてシステムメモリ１２１０に格納されてもよく、または、追加的に又は代替的に、ＮＶＭ命令部分１２３５として（ＮＶＭ）／ストレージ１２３０に格納されてもよい。無線フレーム構成モジュール１２１５および／または１２３５は、推定されたＵＬ／ＤＬトラフィック比に応じて、複数の異なる構成のセットから、ＴＤＤ構成が選択されるようにさせるプログラム命令を含んでもよい。これにより、複数のＴＤＤ構成のうちの異なる幾つかの間でのスイッチングに関係なく、通信中の送信モードと受信モードとの間のスイッチングの平均周期を保証できる。無線フレーム構成モジュール１２１５および／または１２３５は、特別スロットを含んでいて、（例えば）異なるＵＬ：ＤＬ（送信：受信）比を有する異なるＴＤＤ構成間の変化に関係なく、１タイムスロットまたは半分のタイムスロットの固定された平均スイッチング周期で、ＵＬとＤＬとの間をスイッチングすることを可能にするＴＤＤ構成に基づいて、ＵＥへのＤＬデータの送信、および／または、ＵＥからのＵＬデータの受信をさせる回路を備える、通信セクションの一部を形成してもよい。
【００９７】
プロセッサ１２４０は、図１〜１１の複数の実施形態を実行するように構成されてもよい。プロセッサは、無線フレーム構成回路１２４２と、ＨＡＲＱ回路１２４４とを備えてもよい。送受信機モジュール１２６５は、ＴＤＤ構成スイッチング回路１２６６と、ＴＤＤ通信をブロードキャストするための送信／受信スイッチング回路１２６８とを備える。無線フレーム構成およびスイッチング機能は、プロセッサ１２４０、送受信機モジュール１２６５、システムメモリ１２１０およびＮＶＭ／ストレージ１２３０の１つ又は複数を伴うシステムにわたって、異なる方法で分散され又は割り当てられてもよいことが理解されるであろう。
【００９８】
一実施形態のシステム制御ロジック１２２０は、複数のプロセッサ１２４０のうちの少なくとも１つ、および／または、システム制御ロジック１２２０と通信している任意の適切なデバイスまたは構成要素に対して、任意の適切なインタフェースを提供する任意の適切なインタフェースコントローラを含んでもよい。
【００９９】
一実施形態のシステム制御ロジック１２２０は、システムメモリ１２１０にインタフェースを提供する１つ又は複数のメモリコントローラを含んでもよい。システムメモリ１２１０は、例えばシステム１２００用に、データおよび／または命令をロードおよび格納するのに使用されてもよい。一実施形態のシステムメモリ１２１０は、例えば、適切なダイナミックランダムアクセスメモリ（ＤＲＡＭ）のような適切な揮発性メモリを含んでもよい。
【０１００】
ＮＶＭ／ストレージ１２３０は、例えば、データおよび／または命令を格納するのに使用される、１つ又は複数の有形の非一時的コンピュータ可読媒体を含んでもよい。一時的コンピュータ可読媒体が使用されてもよい。ＮＶＭ／ストレージ１２３０は、例えば、フラッシュメモリなどの任意の適切な不揮発性メモリを含んでもよく、および／または、例えば、１つ又は複数のハードディスクドライブ（ＨＤＤ）、１つ又は複数のコンパクトディスク（ＣＤ）ドライブ、および／または１つ又は複数のデジタル多用途ディスク（ＤＶＤ）ドライブなどの任意の適切な不揮発性ストレージデバイスを含んでもよい。
【０１０１】
ＮＶＭ／ストレージ１２３０は、物理的に、システム１２００がインストールされるデバイスの一部であるストレージリソースを含んでもよく、又は、そのデバイスによってアクセス可能であってもよいが、必ずしもその一部ではなくてもよい。例えば、ＮＶＭ／ストレージ１２３０はネットワークインタフェース１２６０によって、ネットワークを通じてアクセスされてもよい。
【０１０２】
システムメモリ１２１０およびＮＶＭ／ストレージ１２３０はそれぞれ、とりわけ、例えば命令部分１２１５および１２３５のそれぞれの一時的コピーと永続的コピーとを含んでもよい。無線フレーム構成モジュール１２１５および１２３５は、複数のプロセッサ１２４０のうちの少なくとも１つによって実行された場合に、結果として、システム１２００が本明細書で説明された任意の実施形態の複数の方法の１つ又は複数を実施することになる命令を含んでもよい。幾つかの実施形態において、命令１２１５および１２３５か、それらのハードウェア、ファームウェアおよび／またはソフトウェア構成要素かが、追加的／代替的に、システム制御ロジック１２２０、ネットワークインタフェース１２６０および／またはプロセッサ１２４０に配置されてもよい。
【０１０３】
送受信機モジュール１２６５は、１つ又は複数のネットワーク（例えば無線通信ネットワーク）を通じて通信すべく、および／または、任意の他の適切なデバイスと通信すべく、システム１２００に無線インタフェースを提供する。送受信機１２６５は、様々な実施形態で説明された送信および受信といった様々な通信を実行してもよく、送信機セクションおよび受信機セクションを含んでもよい。様々な実施形態において、送受信機１２６５は、システム１２００の他の構成要素と統合されてもよい。例えば、送受信機１２６５は、プロセッサ１２４０のプロセッサ、システムメモリ１２１０のメモリ、および、ＮＶＭ／ストレージ１２３０のＮＶＭ／ストレージを含んでもよい。ネットワークインタフェース１２６０は、任意の適切なハードウェアおよび／またはファームウェアを含んでもよい。
【０１０４】
ネットワークインタフェース１２６０は、複数入力複数出力無線インタフェースを提供すべく、複数のアンテナに動作可能に結合されてもよい。一実施形態のネットワークインタフェース１２６０は、例えば、ネットワークアダプタ、無線ネットワークアダプタ、電話モデム、および／または、無線モデムを含んでもよい。例えば、システム１２００がｅＮＢである場合、ネットワークインタフェース１２６０は、イーサネット（登録商標）インタフェース、Ｓ１−ＭＭＥインタフェース、および／または、Ｓ１−Ｕインタフェースを含んでもよい。図１２のシステム１２００は、ＵＥに実装されてもよいが、代替的に、ピアツーピア通信およびリソース割り当てを実施する目的で、ピコセル、フェムトセルまたはリレーノードに実装されてもよい。
【０１０５】
一実施形態では、複数のプロセッサ１２４０のうちの少なくとも１つは、システム制御ロジック１２２０の１つ又は複数のコントローラ用のロジックと一緒にパッケージ化されてもよい。一実施形態では、複数のプロセッサ１２４０のうちの少なくとも１つは、システムインパッケージ（ＳｉＰ）を形成すべく、システム制御ロジック１２２０の１つ又は複数のコントローラ用のロジックと一緒にパッケージ化されてもよい。一実施形態では、複数のプロセッサ１２４０のうちの少なくとも１つは、システム制御ロジック１２２０の１つ又は複数のコントローラ用のロジックと共に、同じダイ上に統合されてもよい。一実施形態では、複数のプロセッサ１２４０のうちの少なくとも１つは、システムオンチップ（ＳｏＣ）を形成すべく、システム制御ロジック１２２０の１つ又は複数のコントローラ用のロジックと共に、同じダイ上に統合されてもよい。複数のプロセッサ１２４０の各々は、データを受信するための入力と、データを出力するための出力とを含んでもよい。
【０１０６】
様々な実施形態において、複数のＩ／Ｏデバイス１２５０は、システム１２００とのユーザインタラクションを可能にすべく設計される複数のユーザインタフェース、システム１２００との周辺構成要素インタラクションを可能にすべく設計される複数の周辺構成要素インタフェース、および／または、システム１２００に関連する位置情報および／または環境状況を決定すべく設計される複数のセンサを含んでもよい。
【０１０７】
図１３は、図１２のシステム１２００が、ユーザ機器（ＵＥ）、移動局（ＭＳ）、移動無線デバイス、移動通信デバイス、タブレット、ハンドセット、又は、他のタイプの無線デバイスなどの無線デバイス１３００に実装される実施形態を示している。無線デバイスは、基地局（ＢＳ）、進化型ノードＢ（ｅＮＢ）、ベースバンドユニット（ＢＢＵ）、遠隔無線ヘッド（ＲＲＨ）、遠隔無線機器（ＲＲＥ）、リレー局（ＲＳ）、無線機器（ＲＥ）、又は、他のタイプの無線ワイドエリアネットワーク（ＷＷＡＮ）アクセスポイントなどの、ノード、マクロノード、低電力ノード（ＬＰＮ）または送信局と通信するように構成された１つ又は複数のアンテナ１３１０を含むことができる。無線デバイスは、３ＧＰＰ ＬＴＥ、ＷｉＭＡＸ、高速パケットアクセス（ＨＳＰＡ）、Ｂｌｕｅｔｏｏｔｈ（登録商標）およびＷｉ−Ｆｉを含む、少なくとも１つの無線通信規格を使用して通信するように構成されることができる。当該デバイスは、無線セルラネットワークに関して、インカバレッジである場合とアウトオブカバレッジである場合との双方で、他の近位の無線デバイスとのＤ２Ｄ通信を実行できる。無線デバイスは、各無線通信規格用の別個のアンテナを使用して、又は、複数無線通信規格用の共有アンテナを使用して通信できる。無線デバイスは、無線ローカルエリアネットワーク（ＷＬＡＮ）、無線パーソナルエリアネットワーク（ＷＰＡＮ）、および／または、ＷＷＡＮで通信できる。
【０１０８】
図１３の無線デバイス１３００はまた、無線デバイスからのオーディオ入力及び出力用に使用され得る、マイク１３９０と１つ又は複数のスピーカ１３３０との例を提供する。様々な実施形態において、ユーザインタフェースは、ディスプレイ１３４０（例えば液晶ディスプレイ、タッチスクリーンディスプレイ等）、スピーカ１３３０、マイク１３９０、１つ又は複数のカメラ１３８０（例えばスチルカメラおよび／またはビデオカメラ）、フラッシュライト（例えば発光ダイオードフラッシュ）、及び、キーボード１３７０を含むことができるが、これらに限定されない。
【０１０９】
様々な実施形態において、周辺構成要素インタフェースは、不揮発性メモリポート、オーディオジャックおよび電源供給インタフェースを含んでもよいが、これらに限定されない。
【０１１０】
様々な実施形態において、センサは、ジャイロセンサ、加速度計、近接センサ、環境光センサおよび測位ユニットを含んでもよいが、これらに限定されない。測位ユニットはまた、例えばグローバルポジショニングシステム（ＧＰＳ）衛星といった測位ネットワークの複数の構成要素と通信すべく、ネットワークインタフェース１０６０の一部であってもよいし、これらとインタラクトしてもよい。
【０１１１】
様々な実施形態において、システム１３００は、ラップトップコンピューティングデバイス、タブレットコンピューティングデバイス、ネットブック、モバイルフォン等のモバイルコンピューティングデバイスを含んでもよいが、これらに限定されない。様々な実施形態において、システム１３００は、それより多くの又は少ない構成要素を有してもよく、および／または、異なる複数のアーキテクチャを有してもよい。
【０１１２】
複数の実施形態において、実装される無線ネットワークは、第３世代パートナーシッププロジェクトＬｏｎｇ Ｔｅｒｍ Ｅｖｏｌｕｔｉｏｎ（ＬＴＥ）アドバンスド無線通信規格であってもよく、これは、３ＧＰＰ´ｓ ＬＴＥ−Ａ規格のリリース８、９、１０、１１および１２、又はそれより後のものを含んでもよいが、これらに限定されない。
【０１１３】
様々な技術、又はそれらの一定の態様又は一部は、フロッピー（登録商標）ディスク、ＣＤ−ＲＯＭ、ハードドライブ、非一時的コンピュータ可読ストレージ媒体、又は、任意の他の機械可読ストレージ媒体などの有形の媒体に具現化されたプログラムコード（すなわち命令）の形態を取ってもよい。これにより、そのプログラムコードがコンピュータのような機械にロードされて実行された場合に、その機械が、上記で説明された複数の実施形態による様々な技術を実行するための装置になる。ＵＥまたは無線デバイスなどのプログラマブルデバイスでプログラムコードを実行する場合、コンピューティングデバイスは、プロセッサ、プロセッサによって読み込み可能なストレージ媒体（揮発性メモリ及び不揮発性メモリおよび／またはストレージ要素を含む）、少なくとも１つの入力デバイス、および少なくとも１つの出力デバイスを含んでもよい。揮発性および不揮発性メモリ、および／または、ストレージ要素は、ＲＡＭ、ＥＰＲＯＭ、フラッシュドライブ、光学式ドライブ、磁気ハードドライブ、又は、電子データを格納するための他の媒体であってもよい。
【０１１４】
本明細書で説明された様々な技術を実装または利用し得る１つ又は複数のプログラムは、アプリケーションプログラミングインタフェース（ＡＰＩ）、リユーザブルコントロールなどを使用してもよい。そのようなプログラムは、コンピュータシステムと通信すべく、高水準手順型プログラミング言語またはオブジェクト指向型プログラミング言語で実装されてもよい。ただし、プログラムは、所望により、アセンブリ言語又は機械言語で実装されてもよい。いずれの場合も、その言語は、コンパイラ型言語又はインタプリタ型言語であってもよく、ハードウェア実装と組み合わされてもよい。
【０１１５】
本技術によれば、無線フレームを構築するために提案された異なるＴＤＤ構成のセットが提供され、異なる個々の構成は、無線フレーム内の、受信キャパシティ対送信キャパシティの異なる比を提供する。ｅＮＢまたはＵＥの制御回路は、異なるＵＬ：ＤＬ比を有する複数の異なるＴＤＤ構成間のどれかを選択するように構成可能であり、これにより、ＵＬ：ＤＬ構成が、（合計無線フレーム長の半分に等価な）１０タイムスロットの最小周期で変化されることができる。個々に選択可能なＴＤＤ構成の各々の構成は、複数のＴＤＤ構成の１つ又は複数を使用して構築された無線フレームから構成される任意のＴＤＤ通信に対して、送信と受信との間（ＵＬとＤＬとの間）のスイッチングの平均周期が、タイムスロットの設定済み持続時間と同じであるようなものである。タイムスロット長は、複数の選択可能なＴＤＤ構成の全てに対して同じである。
【０１１６】
これは、１０ｍｓのフレーム長および０．５ｍｓのスロット長に対して、５ｍｓまたは１０ｍｓの何れか一方のスイッチング周期を提供する、既知の４Ｇ ＬＴＥ ＴＤＤ通信と対比できる。従って、既知のＬＴＥシステムでは、ＴＤＤ通信用のＵＬとＤＬとの間のスイッチングの平均周期は、１０又は２０タイムスロットである。
【０１１７】
本技術によれば、送信領域と受信領域（ＵＬ領域とＤＬ領域）との双方を有する特別スロットが定義される。特別スロットは、同じスロットの制御及びデータ部分より短い持続時間の制御オンリー部分を有する。特別スロットの制御及びデータ部分は、ユーザデータおよび／または制御情報を送信または受信するのに使用され、制御オンリー部分は、少なくとも、同じスロットに含まれるユーザデータの方向と反対方向で、制御情報を通信するのに使用される。従って、例えば、１つのタイプの特別スロットは、ＵＬユーザデータのＵＥ送信と、ＤＬ制御情報のＵＥ受信とを含み、その一方で、異なるタイプの特別スロットは、ＤＬユーザデータのＵＥ受信とＵＬ制御情報のＵＥ送信とを含む。
【０１１８】
所与のＴＤＤ無線通信チャネルでＤＬ通信領域からＵＬ通信領域へのスイッチングがあるときにはいつでも、特別スロットは任意にガード期間を含んでもよい。４Ｇ ＬＴＥ ＴＤＤフレーム構造は２タイムスロットの持続時間を有し、ＤＬパイロットタイムスロット（ＤｗＰＴＳ）、ガード期間およびＵＬパイロットタイムスロット（ＵｐＰＴＳ）を含む特別サブフレームを備えるが、このＬＴＥ特別サブフレームにおけるＵｐＰＴＳは、ＵＬユーザデータもＵＬ制御情報も運ばない。
【０１１９】
ＯＦＤＭは、低いデータレートで変調されている、大多数の比較的密に離間したサブキャリアを使用する信号伝送の形態である。これらの信号を互いに直交させることによって、密に離間したサブキャリア間の相互干渉が回避されることを可能にできる。送信されるデータがサブキャリアの全てにわたって分割され、マルチパス効果と関連付けられる周波数選択性フェージングに対する障害許容力を提供する。ＯＦＤＭＡ信号は、直交サブキャリアのセットに基づく。無線リソースは、サブキャリアのサブセットを割り当てることによって、各ユーザに共有される。
【０１２０】
無線通信システムでのＯＦＤＭの使用のための帯域幅の選択は、ＯＦＤＭ信号に受け入れられることができるサブキャリアの数に影響し、これはシンボル長（やがては持続時間）に影響する。ＯＦＤＭにおいて、直交性は、シンボル期間の逆数に等しいサブキャリア間隔を有することによって実現される。従って、サブキャリア間隔を大きくすることによって、より短いシンボル期間を実現できる。ＬＴＥにおいて、キャリア間隔は１５ｋＨｚであるが、本技術によれば、上記の表１によって示されるように、サブキャリア周波数間隔は、例えば１．５ＭＨｚまで大きくされる。この結果として、表１のサブキャリア周波数間隔を実装している複数の実施形態によれば、シンボル期間を、ＬＴＥの６６．７μｓ（マイクロ秒）から６６６．７ナノ秒まで減少させることができる。従って、これらの実施形態は、結果として、シンボル長をＬＴＥシンボル長の１００分の１にできる。
【０１２１】
タイムスロットに受け入れられることができるＯＦＤＭ（又は任意の他の変調スキーム）シンボルの数は、スロット長とシンボル長との双方に依存する。所与のタイムスロットに含まれるＯＦＤＭシンボルの数が大きくなればなるほど、スロットのデータ容量が大きくなる。従って、５０マイクロ秒スロットごとに７０ＯＦＤＭシンボルを有する本技術による複数の実施形態では、スロット当たり１４シンボルを有し、０．５ミリ秒のスロット長を有する、ＬＴＥの現在の実装におけるものよりも、スロット当たり多くのデータを受け入れることができる。
【０１２２】
ＯＦＤＭＡにおけるサブキャリア間隔の選択は、（最大キャリア周波数が約３．５ＧＨｚであるＬＴＥにおける）ドップラーシフトと、シンボル間干渉と関連付けられる「遅延拡散」との双方を考慮に入れるべきである。サブキャリア間隔は理想的に、最大ドップラーシフトよりはるかに大きいべきであるが、シンボル長（サブキャリア間隔の逆数）もまた、遅延拡散よりはるかに大きいべきである。サブキャリア間隔は、十分に小さいサブキャリア間隔を有することによってシンボル間干渉の可能性を減少することと、十分に大きいサブキャリア間隔を有することによってドップラーシフトの影響を減少させることとの間のトレードオフである。
【０１２３】
ＬＴＥのような無線通信システムのＴＤＤフレーム構造において、単一の周波数ブロックが、ＵＬ送信とＤＬ送信との間の時間領域において共有される。補償されることを必要としているＵＬとＤＬとの間でスイッチングするときに（ＵＥとｅＮｏｄｅＢとの双方に対して）ハードウェア遅延が存在するので、ＴＤＤにおける送信は連続的ではない。ＬＴＥにおいて、ＵＬとＤＬとの間の最大遷移レートは、無線フレームの半分で（５ｍｓ期間）、ＵＬからＤＬへの１スイッチ、及び、ＤＬからＵＬへの１スイッチであり、タイムスロット長は０．５ｍｓである。ＵＬからＤＬへの遷移に対し、ガード期間は必要とされない。なぜなら、（ｉ）ＵＬフレームスタートタイミングとＤＬフレームスタートタイミングとの間の固定されたタイミングオフセットを使用することによって送受信機モードスイッチング用のタイムバジェットが取得され、（ｉｉ）ｅＮｏｄｅＢが各ＵＥに対し、ｅＮｏｄｅＢからのＵＥの距離に応じて（すなわち、セルにおける自己の位置に応じて）具体的な時間オフセット（タイミングアドバンス）を使用するように命じるためである。これにより、全てのＵＥ ＵＬ信号が、ｅＮｏｄｅＢに到達した場合に、やがてはアラインメントされるべきである。
【０１２４】
しかしながら、ＤＬからＵＬへの遷移のため、複数のＵＬ信号が、関連付けられたセルにおける複数のＵＥのそれぞれからｅＮｏｄｅＢへと送信されるであろう。この場合、ＵＥのＵＬ伝送によって引き起こされる、隣接するＵＥのＤＬ受信に対する干渉は回避されるべきである。従って、ＤＬからＵＬへスイッチングする場合、「ガード期間」が使用される。ＬＴＥでは、このガード期間が特別サブフレームに含まれる。ガード期間は、最大ＤＬ及びＵＬ伝搬時間に関連する最大ラウンドトリップ伝搬遅延をカバーするのに十分な持続時間を有するべきであり、ガード期間長は、最大サポータブルセルサイズ（ガード期間からＵＥ及びＥＮｏｄｅＢスイッチング時間を差し引き、光の速度に基づいてラウンドトリップ距離を計算することにより与えられる最大セル範囲）を決定する。
【０１２５】
ＵＥは、情報の受信から情報の送信へとスイッチングすべくガード期間を必要とする。ガード期間は、最大ＵＬタイミングアドバンス、受信から送信へのＵＥスイッチングと関連付けられたスイッチング期間、及び、受信から送信へ変化する場合のｅＮｏｄｅＢスイッチング遅延を受け入れるべく、ＵＥとｅＮｏｄｅＢとの間の（３×１０８ ｍｓ-1の速度で）最大電磁波伝搬時間の２倍を含む。
【０１２６】
上記の説明において、「高周波帯域無線アクセス技術」は、ＬＴＥおよびＬＴＥ−Ａｄｖａｎｃｅｄなどの、現在使用されている既存の無線通信技術より高い、（例えば）６ＧＨｚよりも上のキャリア周波数を意味するように理解されるであろう。例えば、ＬＴＥは、最大略３．５ＧＨｚまでの範囲の多数のキャリア周波数の何れか１つを中心とする、１００ＭＨｚの最大帯域幅を使用して通信を実行する。本技術によれば、通信用のシステム帯域幅は、（例えば）１００ＭＨｚから２ＧＨｚまで増大する。現在、６ＧＨｚよりも上の周波数帯域は、６ＧＨｚよりも下の周波数帯域に比べて、比較的少ない現行サービスで利用可能な大きな周波数スペクトラムを有し、従って、１００ＭＨｚよりも大きなシステム帯域幅を容易に受け入れることができる。大きくなったシステム帯域幅によって、より短いシンボル長とより高いデータレート（所与のタイムスロット内で多くのシンボル）とが可能になる。
【０１２７】
６ＧＨｚより上の周波数帯域では、ターゲットセルサイズは、より高い伝搬パスロスに起因して、ＬＴＥマクロセルサイズ（例えば数キロメートル）よりはるかに小さくなることが予期される（例えば２００メートル）。従って、表１の例示的で非限定的なパラメータと本技術によれば、５０μｓスロットおよび略７１４ｎｓのシンボル長に対するガード期間が、１つ又は２つのシンボルと同じくらい短くなることができる（ここではスロット当たり７０シンボルある）。ＬＴＥでは、特別サブフレーム内のガード期間長は、複数の特別サブフレーム構成のうちのどれが選択されるかに応じて、（通常ＣＰ用の）１４シンボルの範囲外の１〜１０シンボル、又は、（拡張ＣＰ用の）１２シンボルの範囲外の１〜８シンボルを変化させる。従って、ＨＦＢ ＲＡＴ用のガード期間オーバヘッドは、本技術によれば、ＬＴＥガード期間オーバヘッドよりも大幅に小さくなる。これは、ＵＬとＤＬとの間の頻繁なスイッチングを可能にし、結果として、Ｕｓｅｒ ｐｌａｎｅレイテンシおよびＨＡＲＱ−ＲＴＴを低減できる。
【０１２８】
本技術によるＴＤＤ無線フレーム構成は、小さなガード期間オーバヘッドの提供によって、且つ、ＤＬ用の制御オンリー情報とＵＬ用のユーザデータ及び制御情報とを有する１つの特別タイムスロットタイプと、ＵＬ用の制御オンリー情報とＤＬ用のユーザデータ及び制御情報とを有する別の特別タイムスロットタイプとを備える特別タイムスロットを使用することによって、ＤＬからＵＬへの（受信から送信への）、及び、ＵＬからＤＬへの（送信から受信への）一貫した平均スイッチング周期を可能にするように定義される。ここでは、制御オンリー部分は、ユーザデータ及び制御部分よりも、タイムスロットの短い持続時間を占有している。これは、ＨＡＲＱ−ＡＣＫラウンドトリップ時間が縮小されることを可能にし、従って、縮小されたレイテンシを提供する。
【０１２９】
複数の構成の全てに対して小さなガード期間オーバヘッドを維持する一方で、このレイテンシにおける減少が実現される。無線フレームの半分と同程度に短いタイムスケールで本技術による複数のＴＤＤ構成間をスイッチングすることが可能であり、送信と受信との間のスイッチングの平均周期は、複数の異なるＴＤＤ構成のうちのどれが選択されるかに関係なく、タイムスロットの設定済み持続時間に等しくなるように構成される。従って、制御回路は、無線フレーム内でさえも、それぞれ異なるＵＬキャパシティ：ＤＬキャパシティ比を有する異なるＴＤＤ構成間を選択的にスイッチングでき、それでもまだ、異なるＴＤＤ構成間の遷移は、如何なるレイテンシ制約も損なわない。なぜならば、適切に構成されているスイッチングの平均周期によって、低レイテンシが保証されているためである。 
【０１３０】
様々な技術、又はそれらの一定の態様又は一部は、フロッピー（登録商標）ディスク、ＣＤ−ＲＯＭ、ハードドライブ、非一時的コンピュータ可読ストレージ媒体、又は、任意の他の機械可読ストレージ媒体などの有形の媒体に具現化されたプログラムコード（すなわち命令）の形態を取ってもよい。これにより、そのプログラムコードがコンピュータのような機械にロードされて実行された場合に、その機械が、上記で説明された複数の実施形態による様々な技術を実行するための装置になる。ＵＥまたは無線デバイスなどのプログラマブルデバイスでプログラムコードを実行する場合、コンピューティングデバイスは、プロセッサ、プロセッサによって読み込み可能なストレージ媒体（揮発性メモリ及び不揮発性メモリおよび／またはストレージ要素を含む）、少なくとも１つの入力デバイス、および少なくとも１つの出力デバイスを含んでもよい。揮発性および不揮発性メモリ、および／または、ストレージ要素は、ＲＡＭ、ＥＰＲＯＭ、フラッシュドライブ、光学式ドライブ、磁気ハードドライブ、又は、電子データを格納するための他の媒体であってもよい。
【０１３１】
本明細書で説明された様々な技術を実装または利用し得る１つ又は複数のプログラムは、アプリケーションプログラミングインタフェース（ＡＰＩ）、リユーザブルコントロールなどを使用してもよい。そのようなプログラムは、コンピュータシステムと通信すべく、高水準手順型プログラミング言語またはオブジェクト指向型プログラミング言語で実装されてもよい。ただし、プログラムは、所望により、アセンブリ言語又は機械言語で実装されてもよい。いずれの場合も、その言語は、コンパイラ型言語又はインタプリタ型言語であってもよく、ハードウェア実装と組み合わされてもよい。プログラム命令は、一時的または非一時的媒体に提供されてもよい。
【０１３２】
機能ユニットが回路として説明されてきたところでは、その回路は、プログラムコードによって、特定の処理機能を実行するように構成された汎用プロセッサ回路であってもよい。当該回路は、修正によって、処理ハードウェアに構成されてもよい。特定の機能を実行するための回路の構成は、全体的にハードウェアにあってもよく、全体的にソフトウェアにあってもよく、ハードウェア修正とソフトウェア実行との組み合わせを使用していてもよい。プログラム命令は、汎用プロセッサ回路又は専用プロセッサ回路の論理ゲートが処理機能を実行するように構成するのに使用されてもよい。
【０１３３】
本明細書で説明された複数の機能ユニットは、それらの実装独立性を強調すべく、モジュールとしてラベリングされたことが理解されるべきである。モジュールは、例えば、カスタムＶＬＳＩ回路若しくはゲートアレイを含むハードウェア回路、論理チップのような既製の半導体、トランジスタ、又は、他の個別部品として実装されてもよいことに留意されたい。モジュールはまた、フィールドプログラマブルゲートアレイ、プログラマブルアレイ論理、プログラマブル論理デバイスなどのプログラマブルハードウェアデバイスに実装されてもよい。
【０１３４】
モジュールはまた、様々なタイプのプロセッサによる実行用に、ソフトウェアに実装されてもよい。実行可能なコードの特定されたモジュールは、例えば、コンピュータ命令の１つ又は複数の物理ブロック又は論理ブロックを含み、これは、例えば、オブジェクト、プロシージャ、又はファンクションとして編成されてもよい。それでもなお、特定されたモジュールの実行可能ファイルは、物理的に一緒に配置される必要がないが、論理的に一緒に結合された場合に当該モジュールを含み、当該モジュールの述べられた目的を達成する異なる位置に格納される全く異なる命令を備えてもよい。
【０１３５】
実際、実行可能なコードのモジュールは、単一の命令または多くの命令であってもよく、さらには、幾つかの異なるコードセグメントにわたって、異なるプログラム間で、および幾つかのメモリデバイスにわたって分散されてもよい。同様に、処理データは、本明細書では、モジュール内で識別されて示されてもよく、任意の適切な形態で具現化されてもよく、任意の適切なタイプのデータ構造内で編成されてもよい。処理データは、単一のデータセットとして収集されてもよく、又は、異なるストレージデバイスにわたることを含めて、異なる位置にわたり分散されてもよく、少なくとも部分的に、単にシステムまたはネットワーク上の電子信号として存在してもよい。モジュールは、所望の機能を実行するように動作可能なエージェントを含めて、受動的又は能動的であってもよい。
【０１３６】
複数の例
【０１３７】
例１は、基地局に含まれる装置を含んでもよく、装置は、ユーザ機器（「ＵＥ」）が動作する予定のセルを提供し、時分割複信（「ＴＤＤ」）に基づいてＵＥへのダウンリンク送信にダウンリンクデータをスケジューリングし、ＵＥからのアップリンク受信にアップリンクデータをスケジューリングし、アップリンク伝送においてＵＥから受信されたアップリンクデータを処理し、高周波帯域と関連付けられた１つ又は２つの直交周波数分割多重化（「ＯＦＤＭＡ」）シンボルの長さを有する予め定められたガード期間に基づいて送信回路と受信回路との間をスイッチングする制御回路であって、当該長さはセルのサイズに基づいている制御回路と、制御回路と結合され、スケジュールに基づいてダウンリンク伝送でダウンリンクデータをＵＥに送信する送信回路と、制御回路と結合され、アップリンク伝送においてＵＥからアップリンクデータを受信する受信回路とを備える。
【０１３８】
例２は、例１の装置を含んでもよく、セルのサイズは、半径が略２００メートル未満である。
【０１３９】
例３は、例１の装置を含んでもよく、ガード期間は、送信回路と受信回路との間のスイッチングと関連付けられた、伝搬遅延およびスイッチング遅延に基づく。
【０１４０】
例４は、例１〜３の何れかの装置を含んでもよく、制御回路は、無線フレームの持続時間内でＵＥがダウンリンク伝送においてデータを受信したかどうかを示す、ハイブリッド自動再送要求（「ＨＡＲＱ」）受信確認（「ＡＣＫ」）メッセージまたは否定応答（「ＮＡＣＫ」）メッセージを処理し、更に、ＨＡＲＱ ＮＡＣＫメッセージが処理される場合には、制御回路が、送信回路に対して、持続時間内にダウンリンクデータを再送信させる。
【０１４１】
例５は、例４の装置を含んでもよく、ＨＡＲＱ ＡＣＫまたはＮＡＣＫメッセージは、アップリンク制御情報を含む特別スロットと関連付けられている。
【０１４２】
例６は、例５の装置を含んでもよく、特別スロットは更に、縮小ダウンリンク領域と関連付けられている。
【０１４３】
例７は、例４の装置を含んでもよく、ＨＡＲＱ ＡＣＫまたはＮＡＣＫメッセージは、ＨＡＲＱ ＡＣＫまたはＮＡＣＫメッセージが別のＨＡＲＱ ＡＣＫまたはＮＡＣＫメッセージと多重化されているアップリンク領域と関連付けられる。
【０１４４】
例８は、例４の装置を含んでもよく、ダウンリンクデータは、第１のスロットでダウンリンク伝送と関連付けられていて、ＨＡＲＱ ＡＣＫまたはＮＡＣＫメッセージは、高周波帯域における超低レイテンシ動作モード用に、第１のスロットの直後の次のスロットでアップリンク伝送と関連付けられている。
【０１４５】
例９は、例１−３の何れかの装置を含んでもよく、制御回路は、送信回路に対して、無線フレームの持続時間内で制御回路がアップリンク伝送においてデータを処理したかどうかを示す、ハイブリッド自動再送要求（「ＨＡＲＱ」）受信確認（「ＡＣＫ」）メッセージまたは否定応答（「ＮＡＣＫ」）メッセージを送信させる。
【０１４６】
例１０は、例９の装置を含んでもよく、ＨＡＲＱ ＡＣＫまたはＮＡＣＫメッセージは、ダウンリンク制御情報を含む特別スロットと関連付けられている。
【０１４７】
例１１は、例１０の装置を含んでもよく、特別スロットは更に、縮小アップリンク領域と関連付けられている。
【０１４８】
例１２は、例９の装置を含んでもよく、ＨＡＲＱ ＡＣＫまたはＮＡＣＫメッセージは、ＨＡＲＱ ＡＣＫまたはＮＡＣＫメッセージが別のＨＡＲＱ ＡＣＫまたはＮＡＣＫメッセージと多重化されているダウンリンク領域と関連付けられる。
【０１４９】
例１３は、基地局によって実行される方法を含んでもよく、当該方法は、ユーザ機器（「ＵＥ」）が動作する予定のセルを提供する段階と、時分割複信（「ＴＤＤ」）に基づいてダウンリンクデータをＵＥに送信する段階と、１つ又は２つの直交周波数分割多重化（「ＯＦＤＭ」）シンボルの長さを有する高周波帯域と関連付けられている予め定められたガード期間に基づいて、送信モードと受信モードとの間をスイッチングする段階であって、その長さはセルのサイズに基づく段階と、ＴＤＤに基づいてＵＥからアップリンクデータを受信する段階とを備える。
【０１５０】
例１４は、例１３の方法を含んでもよく、セルのサイズは、半径が略２００メートル未満である。
【０１５１】
例１５は、例１３の方法を含んでもよく、ガード期間は、送信モードと受信モードとの間のスイッチングと関連付けられた、伝搬遅延およびスイッチング遅延に基づく。
【０１５２】
例１６は、例１３−１５の何れかの方法を含んでもよく、当該方法は更に、無線フレームの持続時間内でＵＥがダウンリンク伝送においてデータを受信したかどうかを示す、ハイブリッド自動再送要求（「ＨＡＲＱ」）受信確認（「ＡＣＫ」）メッセージまたは否定応答（「ＮＡＣＫ」）メッセージを受信する段階と、ＨＡＲＱ ＮＡＣＫメッセージが受信された場合には持続時間内でダウンリンクデータを再送信する段階とを備える。
【０１５３】
例１７は、例１６の方法を含んでもよく、ＨＡＲＱ ＡＣＫまたはＮＡＣＫメッセージは、アップリンク制御情報を含む特別スロットと関連付けられている。
【０１５４】
例１８は、例１７の方法を含んでもよく、特別スロットは更に、縮小ダウンリンク領域と関連付けられている。
【０１５５】
例１９は、例１６の方法を含んでもよく、ＨＡＲＱ ＡＣＫまたはＮＡＣＫメッセージは、ＨＡＲＱ ＡＣＫまたはＮＡＣＫメッセージが別のＨＡＲＱ ＡＣＫまたはＮＡＣＫメッセージと多重化されているアップリンク領域と関連付けられる。
【０１５６】
例２０は、例１３−１５の何れかの方法を含んでもよく、当該方法は更に、無線フレームの持続時間内でアップリンク伝送におけるデータが処理されたかどうかを示す、ハイブリッド自動再送要求（「ＨＡＲＱ」）受信確認（「ＡＣＫ」）メッセージまたは否定応答（「ＮＡＣＫ」）メッセージを送信する段階を備える。
【０１５７】
例２１は、例２０の方法を含んでもよく、ＨＡＲＱ ＡＣＫまたはＮＡＣＫメッセージは、ダウンリンク制御情報を含む特別スロットと関連付けられている。
【０１５８】
例２２は、例２１の方法を含んでもよく、特別スロットは更に、縮小アップリンク領域と関連付けられている。
【０１５９】
例２３は、例２０の方法を含んでもよく、ＨＡＲＱ ＡＣＫまたはＮＡＣＫメッセージは、ＨＡＲＱ ＡＣＫまたはＮＡＣＫメッセージが別のＨＡＲＱ ＡＣＫまたはＮＡＣＫメッセージと多重化されているダウンリンク領域と関連付けられる。
【０１６０】
例２４は、ユーザ機器（「ＵＥ」）に含まれる装置を含んでもよく、装置は、基地局によって提供されるセル上で動作し、時分割複信（「ＴＤＤ」）に基づいて、基地局へとスケジューリングされたアップリンク伝送用にアップリンクデータを準備し、ダウンリンク伝送において基地局から受信されたダウンリンクデータを処理し、高周波帯域と関連付けられた１つ又は２つの直交周波数分割多重化（「ＯＦＤＭＡ」）シンボルの長さを有する予め定められたガード期間に基づいて受信回路と送信回路との間をスイッチングする制御回路であって、当該長さはセルのサイズに基づいている制御回路と、制御回路と結合され、スケジュールに基づいて、アップリンク伝送におけるアップリンクデータを基地局に送信する送信回路と、制御回路と結合され、ダウンリンク伝送において基地局からダウンリンクデータを受信する受信回路とを備える。
【０１６１】
例２５は、例２４の装置を含んでもよく、セルのサイズは、半径が略２００メートル未満である。
【０１６２】
例２６は、例２４の装置を含んでもよく、ガード期間は、受信回路と送信回路との間のスイッチングと関連付けられた、伝搬遅延およびスイッチング遅延に基づく。
【０１６３】
例２７は、例２４〜２６の何れかの装置を含んでもよく、制御回路は、無線フレームの持続時間内で基地局がアップリンク伝送においてデータを受信したかどうかを示す、ハイブリッド自動再送要求（「ＨＡＲＱ」）受信確認（「ＡＣＫ」）メッセージまたは否定応答（「ＮＡＣＫ」）メッセージを処理し、更に、ＨＡＲＱ ＮＡＣＫメッセージが処理される場合には、制御回路が、送信回路に対して、持続時間内にアップリンクデータを再送信させる。
【０１６４】
例２８は、例２７の装置を含んでもよく、ＨＡＲＱ ＡＣＫまたはＮＡＣＫメッセージは、ダウンリンク制御情報を含む特別スロットと関連付けられている。
【０１６５】
例２９は、例２８の装置を含んでもよく、特別スロットは更に、縮小アップリンク領域と関連付けられている。
【０１６６】
例３０は、例２７の装置を含んでもよく、ＨＡＲＱ ＡＣＫまたはＮＡＣＫメッセージは、ＨＡＲＱ ＡＣＫまたはＮＡＣＫメッセージが別のＨＡＲＱ ＡＣＫまたはＮＡＣＫメッセージと多重化されているダウンリンク領域と関連付けられる。
【０１６７】
例３１は、例２７の装置を含んでもよく、アップリンクデータは、第１のスロットでアップリンク伝送と関連付けられていて、ＨＡＲＱ ＡＣＫまたはＮＡＣＫメッセージは、高周波帯域における超低レイテンシ動作モード用に、第１のスロットの直後の次のスロットでダウンリンク伝送と関連付けられている。
【０１６８】
例３２は、例２４−２６の何れかの装置を含んでもよく、制御回路は、送信回路に対して、無線フレームの持続時間内で制御回路がダウンリンク伝送においてデータを処理したかどうかを示す、ハイブリッド自動再送要求（「ＨＡＲＱ」）受信確認（「ＡＣＫ」）メッセージまたは否定応答（「ＮＡＣＫ」）メッセージを送信させる。
【０１６９】
例３３は、例３２の装置を含んでもよく、ＨＡＲＱ ＡＣＫまたはＮＡＣＫメッセージは、アップリンク制御情報を含む特別スロットと関連付けられている。
【０１７０】
例３４は、例３３の装置を含んでもよく、特別スロットは更に、縮小ダウンリンク領域と関連付けられている。
【０１７１】
例３５は、例３２の装置を含んでもよく、ＨＡＲＱ ＡＣＫまたはＮＡＣＫメッセージは、ＨＡＲＱ ＡＣＫまたはＮＡＣＫメッセージが別のＨＡＲＱ ＡＣＫまたはＮＡＣＫメッセージと多重化されているアップリンク領域と関連付けられる。
【０１７２】
例３６は、ユーザ機器（「ＵＥ」）によって実行される方法を含んでもよく、当該方法は、基地局によって提供されるセル上で動作する段階と、時分割複信（「ＴＤＤ」）に基づいて基地局からダウンリンクデータを受信する段階と、１つ又は２つの直交周波数分割多重化（「ＯＦＤＭ」）シンボルの長さを有する高周波帯域と関連付けられている予め定められたガード期間に基づいて、受信モードと送信モードとの間をスイッチングする段階であって、その長さはセルのサイズに基づく段階と、ＴＤＤに基づいてアップリンクデータを基地局に送信する段階とを備える。
【０１７３】
例３７は、例３６の方法を含んでもよく、セルのサイズは、半径が略２００メートル未満である。
【０１７４】
例３８は、例３６の方法を含んでもよく、ガード期間は、送信モードと受信モードとの間のスイッチングと関連付けられた、伝搬遅延およびスイッチング遅延に基づく。
【０１７５】
例３９は、例３６−３８の何れかの方法を含んでもよく、当該方法は更に、無線フレームの持続時間内で基地局がアップリンク伝送においてデータを受信したかどうかを示す、ハイブリッド自動再送要求（「ＨＡＲＱ」）受信確認（「ＡＣＫ」）メッセージまたは否定応答（「ＮＡＣＫ」）メッセージを受信する段階と、ＨＡＲＱ ＮＡＣＫメッセージが受信された場合には持続時間内でアップリンクデータを再送信する段階とを備える。
【０１７６】
例４０は、例３９の方法を含んでもよく、ＨＡＲＱ ＡＣＫまたはＮＡＣＫメッセージは、ダウンリンク制御情報を含む特別スロットと関連付けられている。
【０１７７】
例４１は、例４０の方法を含んでもよく、特別スロットは更に、縮小アップリンク領域と関連付けられている。
【０１７８】
例４２は、例３９の方法を含んでもよく、ＨＡＲＱ ＡＣＫまたはＮＡＣＫメッセージは、ＨＡＲＱ ＡＣＫまたはＮＡＣＫメッセージが別のＨＡＲＱ ＡＣＫまたはＮＡＣＫメッセージと多重化されているダウンリンク領域と関連付けられる。
【０１７９】
例４３は、例３６−３８の何れかの方法を含んでもよく、当該方法は更に、無線フレームの持続時間内でダウンリンク伝送におけるデータが処理されたかどうかを示す、ハイブリッド自動再送要求（「ＨＡＲＱ」）受信確認（「ＡＣＫ」）メッセージまたは否定応答（「ＮＡＣＫ」）メッセージを送信する段階を備える。
【０１８０】
例４４は、例４３の方法を含んでもよく、ＨＡＲＱ ＡＣＫまたはＮＡＣＫメッセージは、アップリンク制御情報を含む特別スロットと関連付けられている。
【０１８１】
例４５は、例４４の方法を含んでもよく、特別スロットは更に、縮小ダウンリンク領域と関連付けられている。
【０１８２】
例４６は、例４３の方法を含んでもよく、ＨＡＲＱ ＡＣＫまたはＮＡＣＫメッセージは、ＨＡＲＱ ＡＣＫまたはＮＡＣＫメッセージが別のＨＡＲＱ ＡＣＫまたはＮＡＣＫメッセージと多重化されているアップリンク領域と関連付けられる。
【０１８３】
例４７は、例１３−２３の何れかの方法を実行する手段を備える装置を含んでもよい。
【０１８４】
例４８は、基地局の１つ又は複数のプロセッサが実行すると、基地局に例１３−２３の何れかの方法を実行させるように構成される複数の命令を備える、１つ又は複数の非一時的コンピュータ可読媒体を含んでもよい。
【０１８５】
例４９は、例３６−４６の何れかの方法を実行する手段を備える装置を含んでもよい。
【０１８６】
例５０は、ユーザ機器（ＵＥ）の１つ又は複数のプロセッサが実行すると、ＵＥに例３６−４６の何れかの方法を実行させるように構成される複数の命令を備える、１つ又は複数の非一時的コンピュータ可読媒体を含んでもよい。
【０１８７】
例５１は、通信デバイスにおける方法を含んでもよく、当該方法は、予め定義された構成、又は、メッセージを介して、通信エンティティから示された構成の何れか一方に従い、持続時間を含むタイムスロットを構成する段階と、信号を送信するための第１セットのタイムスロットと、信号を受信するための第２セットのタイムスロットと、第３セットのタイムスロットとを構成する段階であって、第３セットのタイムスロットにおけるタイムスロットは、予め定義された構成または通信エンティティから示された構成の何れか一方に従う送信期間および受信期間を含む段階と、第１セットのタイムスロットにおける第１制御情報、第１データ情報および／または第１基準信号を送信する段階と、第２セットのタイムスロットにおける第２制御情報、第２データ情報および／または第２基準信号を受信する段階と、第３セットのタイムスロットにおけるタイムスロットの受信期間中に第２制御情報、第２データ情報および／または第２基準信号を受信する一方で、第３セットのタイムスロットにおけるタイムスロットの送信期間中に第１制御情報および／または第１基準信号だけを送信する段階、又は、第３セットのタイムスロットにおけるタイムスロットの送信期間中に第１制御情報、第１データ情報および／または第１基準信号を送信する一方で、第３セットのタイムスロットにおけるタイムスロットの受信期間中に第２制御情報および／または第２基準信号だけを受信する段階と、を備え、送信と受信との間のスイッチングの平均周期はタイムスロットの設定済み持続時間と同じであり、第１制御情報及び第２制御情報はＨＡＲＱ−ＡＣＫ指標および／またはスケジューリング許可メッセージを含む。
【０１８８】
例５２は、例５１の方法を含んでもよく、通信エンティティは、基地局などの無線通信ネットワークエンティティである。
【０１８９】
例５３は、例５１の方法を含んでもよく、送信と受信との間のスイッチングがタイムスロットの境界上で発生した場合に、タイムスロットの境界上の一部分のタイムスロットがガード期間として予約される。
【０１９０】
例５４は、例５１の方法を含んでもよく、第３セットのタイムスロットにおける一部分のタイムスロットがガード期間として予約され、ガード期間は、第３セットのタイムスロットにおけるタイムスロットの送信期間と受信期間との間に配置される。
【０１９１】
例５５は、例５１の方法を含んでもよく、第１制御情報は更に、スケジューリングリクエスト、ビームフォーミング情報を含むチャネル状態情報、および／または、無線リンク問題の指標を含む。
【０１９２】
例５６は、例５１の方法を含んでもよく、第２セットのタイムスロットまたは第３セットのタイムスロットの何れか一方におけるタイムスロットｎ−５で伝送スケジューリング許可メッセージを受信する段階と、第１セットのタイムスロットにおけるタイムスロットｎでスケジューリングされた伝送を実行する段階と、を更に備える。
【０１９３】
例５７は、例５１の方法を含んでもよく、第２セットのタイムスロットまたは第３セットのタイムスロットの何れか一方におけるタイムスロットｎ−４で伝送スケジューリング許可メッセージを受信する段階と、第３セットのタイムスロットにおけるタイムスロットｎでスケジューリングされた伝送を実行する段階と、を更に備える。
【０１９４】
例５８は、例５１の方法を含んでもよく、第２セットのタイムスロットにおけるタイムスロットｎで第２データ情報を受信する段階と、第１セットのタイムスロットまたは第３セットのタイムスロットの何れか一方におけるタイムスロットｎ＋５でＨＡＲＱ−ＡＣＫ指標を送信する段階と、を更に備える。
【０１９５】
例５９は、例５１の方法を含んでもよく、第３セットのタイムスロットにおけるタイムスロットｎで第２データ情報を受信する段階と、第１セットのタイムスロットまたは第３セットのタイムスロットの何れか一方におけるタイムスロットｎ＋４でＨＡＲＱ−ＡＣＫ指標を送信する段階と、を更に備える。
【０１９６】
例６０は、例５１の方法を含んでもよく、第１セットのタイムスロットにおけるタイムスロットｎで第１データ情報を送信する段階と、第２セットのタイムスロットまたは第３セットのタイムスロットの何れか一方におけるタイムスロットｎ＋５でＨＡＲＱ−ＡＣＫ指標を受信する段階と、を更に備える。
【０１９７】
例６１は、例５１の方法を含んでもよく、第３セットのタイムスロットにおけるタイムスロットｎで第１データ情報を送信する段階と、第２セットのタイムスロットまたは第３セットのタイムスロットの何れか一方におけるタイムスロットｎ＋４でＨＡＲＱ−ＡＣＫ指標を受信する段階と、を更に備える。
【０１９８】
例６２は、例５１の方法を含んでもよく、超低レイテンシ（ＵＬＬ）モード動作の指標を受信する段階と、予め定義された構成または通信エンティティから示された構成の何れか一方に従い、タイムスロットのサブスロットを構成する段階と、を更に備え、タイムスロットの持続時間はサブスロットの持続時間の整数倍である。
【０１９９】
例６３は、例６２の方法を含んでもよく、ＵＬＬモード動作は更に、タイムスロットｎのサブスロットｍで第２データ情報を受信する又は第１データ情報を送信すること、および、タイムスロットｎ＋１のサブスロットｍでＨＡＲＱ−ＡＣＫ指標を送信又は受信することを含み、タイムスロットｎは第３セットのタイムスロットに無い。
【０２００】
例６４は、例６２の方法を含んでもよく、ＵＬＬモード動作は更に、タイムスロットｎのサブスロットｍで第２データ情報を受信する又は第１データ情報を送信すること、および、タイムスロットｎ＋２でＨＡＲＱ−ＡＣＫ指標を送信又は受信することを含み、タイムスロットｎは第３セットのタイムスロットに有る。
【０２０１】
例６５は、例６２の方法を含んでもよく、ＵＬＬモード動作は更に、タイムスロットｎ−１のサブスロットｍで伝送スケジューリング許可メッセージを受信すること、および、第１セットのタイムスロットにおけるタイムスロットｎのサブスロットｍでスケジューリングされた伝送を実行することを含む。
【０２０２】
例６６は、例６２の方法を含んでもよく、ＵＬＬモード動作は更に、タイムスロットｎ−２で伝送スケジューリング許可メッセージを受信すること、および、第３セットのタイムスロットにおけるタイムスロットｎのサブスロットｍでスケジューリングされた伝送を実行することを含む。
【０２０３】
例６７は、例６２の方法を含んでもよく、ＵＬＬモード動作の指標は、ＵＬＬモード動作の開始時間及び終了時間、所期の無線ベアラ、および／または、所期の通信デバイスタイプを含む。
【０２０４】
例６８は、通信ネットワークエンティティにおける方法を含んでもよく、当該方法は、メッセージを介して、持続時間を含むタイムスロット構成の指標、および／または、時分割複信（ＴＤＤ）構成の指標を通信デバイスに送信する段階であって、ＴＤＤ構成は、アップリンク（ＵＬ）通信用の第１セットのタイムスロットと、ダウンリンク（ＤＬ）通信用の第２セットのタイムスロットと、第３セットのタイムスロットとを定義し、第３セットのタイムスロットにおけるタイムスロットは、ＵＬ期間およびＤＬ期間を含む段階と、ＵＬ期間がＤＬ期間より短く構成されていて、第３セットのタイムスロットにおけるタイムスロットのＵＬ期間中にＵＬデータ通信を制限する段階、又は、ＤＬ期間がＵＬ期間より短く構成されていて、第３セットのタイムスロットにおけるタイムスロットのＤＬ期間中にＤＬデータ通信を制限する段階と備え、ＵＬ通信とＤＬ通信との間のスイッチングの平均周期がタイムスロットの設定済み持続時間と同じである。
【０２０５】
例６９は、例６８の方法を含んでもよく、ＵＬ通信とＤＬ通信との間のスイッチングがタイムスロットの境界上で発生した場合に、タイムスロットの境界上の一部分のタイムスロットがガード期間として予約される。
【０２０６】
例７０は、例６８の方法を含んでもよく、第３セットのタイムスロットにおける一部分のタイムスロットがガード期間として予約され、ガード期間は、第３セットのタイムスロットにおけるタイムスロットのＵＬ期間とＤＬ期間との間に配置される。
【０２０７】
例７１は、例６８の方法を含んでもよく、第２セットのタイムスロットまたは第３セットのタイムスロットの何れか一方におけるタイムスロットｎ−５でスケジューリング許可メッセージを送信し、第１セットのタイムスロットにおけるタイムスロットｎでＵＬデータ通信をスケジューリングする段階を更に備える。
【０２０８】
例７２は、例６８の方法を含んでもよく、第２セットのタイムスロットまたは第３セットのタイムスロットの何れか一方におけるタイムスロットｎ−４でスケジューリング許可メッセージを送信し、第３セットのタイムスロットにおけるタイムスロットｎでＵＬデータ通信をスケジューリングする段階を更に備える。
【０２０９】
例７３は、例６８の方法を含んでもよく、タイムスロットｎでスケジューリングされているＵＬデータ通信またはＤＬデータ通信用に、タイムスロットｎ＋５でＨＡＲＱ−ＡＣＫ指標を送信又は受信する段階を更に備え、タイムスロットｎは第３セットのタイムスロットに無い。
【０２１０】
例７４は、例６８の方法を含んでもよく、タイムスロットｎでスケジューリングされているＵＬデータ通信またはＤＬデータ通信用に、タイムスロットｎ＋４でＨＡＲＱ−ＡＣＫ指標を送信又は受信する段階を更に備え、タイムスロットｎは第３セットのタイムスロットに有る。
【０２１１】
例７５は、例６８の方法を含んでもよく、全体の通信ネットワーク用のブロードキャストメッセージ、又は、通信デバイス用の専用メッセージの何れか一方を介して、超低レイテンシ（ＵＬＬ）モード動作の指標を送信する段階と、タイムスロットのサブスロットを構成する段階と、を更に備え、タイムスロットの持続時間はサブスロットの持続時間の整数倍である。
【０２１２】
例７６は、例７５の方法を含んでもよく、ＵＬＬモード動作は更に、タイムスロットｎのサブスロットｍでスケジューリングされたＵＬデータ通信またはＤＬデータ通信用に、タイムスロットｎ＋１のサブスロットｍでＨＡＲＱ−ＡＣＫ指標を送信又は受信することを含み、タイムスロットｎは第３セットのタイムスロットに無い。
【０２１３】
例７７は、例７５の方法を含んでもよく、ＵＬＬモード動作は更に、タイムスロットｎのサブスロットｍでスケジューリングされたＵＬデータ通信またはＤＬデータ通信用に、タイムスロットｎ＋２でＨＡＲＱ−ＡＣＫ指標を送信又は受信することを含み、タイムスロットｎは第３セットのタイムスロットに有る。
【０２１４】
例７８は、例７５の方法を含んでもよく、ＵＬＬモード動作は更に、タイムスロットｎ−１のサブスロットｍでスケジューリング許可メッセージを送信し、第１セットのタイムスロットにおけるタイムスロットｎのサブスロットｍでＵＬデータ通信をスケジューリングすることを含む。
【０２１５】
例７９は、例７５の方法を含んでもよく、ＵＬＬモード動作は更に、タイムスロットｎ−２でスケジューリング許可メッセージを送信し、第３セットのタイムスロットにおけるタイムスロットｎのサブスロットｍでＵＬデータ通信をスケジューリングすることを含む。
【０２１６】
例８０は、例７５の方法を含んでもよく、ＵＬＬモード動作の指標は、ＵＬＬモード動作の開始時間及び終了時間、所期の無線ベアラ、および／または、所期の通信デバイスタイプを含む。
【０２１７】
例８１は、例１の装置を含んでもよく、基地局は進化型ノードＢ（「ｅＮＢ」）である。
【０２１８】
以下の付番された節は、複数の例示的な実施形態を示している。
【０２１９】
１．無線通信システムのデバイスで使用するための無線フレーム構成回路であって、
無線フレーム用に、複数の異なる時分割複信構成、すなわち複数の異なるＴＤＤ構成間のどれかを選択するための制御回路であり、複数の異なるＴＤＤ構成は、対応する無線フレーム内で、それぞれ異なる、合計受信持続時間に対する合計送信持続時間の比を提供し、各ＴＤＤ構成は、各々が設定済みスロット長を含む複数のタイムスロットを有する、制御回路と、
制御回路によって選択された複数のＴＤＤ構成を使用して、無線通信システムにおける別のデバイスとのＴＤＤ通信を実行し、これにより、制御回路によって実行された選択に起因して複数の異なるＴＤＤ構成のうちの異なる幾つかの間でスイッチングするにもかかわらず、ＴＤＤ通信中の情報送信と情報受信との間でのスイッチングの平均周期を同じにするための送受信機回路と
を備える無線フレーム構成回路。
【０２２０】
２．送信と受信との間のスイッチングの平均周期は、設定済みスロット長に等しい、または、サブスロット長に等しい、節１の無線フレーム構成回路。
【０２２１】
３．制御回路は、送信情報を含む送信スロットタイプ、受信情報を含む受信スロットタイプ、及び、送信情報と受信情報との双方を含む特別スロットタイプのうちの少なくとも１つから選択することによって、複数の異なるＴＤＤ構成を構築するように構成される、節１または節２の無線フレーム構成回路。
【０２２２】
４．制御回路は、特別スロットタイプを、制御オンリー領域と制御及びデータ領域との双方を有するように構成するように構成され、制御オンリー領域は制御及びデータ領域よりも持続時間において短い、節３の無線フレーム構成回路。
【０２２３】
５．制御回路は、選択された複数のＴＤＤ構成において、受信から送信へのスイッチングが発生した場合に、送信スロットタイプおよび特別スロットタイプの少なくとも１つにおいてガード期間を含むように構成される、節３または節４の無線フレーム構成回路。
【０２２４】
６．タイムスロットは、複数のシンボルを含み、制御回路は、ガード期間用に複数のシンボルを使用し、これにより、最小ガード期間オーバヘッドが複数のシンボルの０．７％から１．４％になるように構成される、節５の無線フレーム構成回路。
【０２２５】
７．制御回路は、情報送信と情報受信との間でのスイッチングが設定済みスロット長と同程度まで頻繁に実行されるように複数のＴＤＤ構成を選択するように構成される、節１、または、節３から６の何れか１つの無線フレーム構成回路。
【０２２６】
８．制御回路は、（ｉ）ｅＮＢからの無線リソース制御シグナリングに基づいて、又は、（ｉｉ）予め定義されて格納された構成に従って、複数のＴＤＤ構成の選択を実行するように構成される、節１から７の何れか１つの無線フレーム構成回路。
【０２２７】
９．制御回路は、複数の無線フレームが、無線通信システムにおける、数十のタイムスロット、又は、無線フレームの持続時間の半分の最小ＴＤＤ構成周期での複数のトラフィック変動に応じて、等しくない送信キャパシティと受信キャパシティとを有するように構成すべく、特別タイムスロットを使用するように構成される、節３から６の何れか１つの無線フレーム構成回路。
【０２２８】
１０．特別タイムスロットは、ＨＡＲＱ−受信確認フィードバック、スケジューリングリクエスト、ＤＬ／ＵＬ空間ビームトラッキング情報、チャネル推定情報、微細な時間／周波数トラッキング情報、および、無線リンク問題の検出用情報のうちの少なくとも１つを含む制御情報を含むように構成される、節３から６の何れか１つの無線フレーム構成回路。
【０２２９】
１１．設定済みスロット長は、５０マイクロ秒であり、各スロットは、７０ＯＦＤＭ／ＳＣ−ＦＤＭＡシンボルを含む、先行する複数の節の何れか１つの無線フレーム構成回路。
【０２３０】
１２．制御回路および送受信機回路は、ＴＤＤ構成選択を実行して、選択された複数のＴＤＤ構成用に、無線フレームの持続時間の半分以下のハイブリッド自動再送要求ラウンドトリップ時間を維持するように構成される、節１から１１の何れか１つの無線フレーム構成回路。
【０２３１】
１３．制御回路は、制御回路がスロット長を整数のサブスロットへと細分するように構成された動作の超低レイテンシモードの選択を可能にするよう構成され、１つ又は複数のサブスロットは無線フレームへのインクルージョン用に選択可能である、節１から１２の何れか１つの無線フレーム構成回路。
【０２３２】
１４．予め定められた超低レイテンシ期間中の全てのトラフィックスケジューリングが、超低レイテンシモード固有の、ＨＡＲＱラウンドトリップタイミングおよび伝送スケジューリングタイミングの少なくとも１つに従うように、超低レイテンシモードは予め定められた超低レイテンシ期間用に構成される、節１３の無線フレーム構成回路。
【０２３３】
１５．個々の無線フレームは、超低レイテンシモードに対応するサブスロットと、送信タイムスロット、受信タイムスロットおよび特別タイムスロットのうちの１つ又は複数とを含むように構成される、節１３または節１４の無線フレーム構成回路。
【０２３４】
１６．スケジューリング信号がタイムスロットｍ内の所与のサブスロット位置と関連付けられ、対応するスケジューリングされた伝送が、タイムスロットｍ＋ｉ内の同じ所与のサブスロット位置で実行され、ｉは１以上の整数であり、スケジューリングされた伝送タイムスロットが特別タイムスロットであるか送信／受信タイムスロットであるかに応じて、ある値を有している、節１３から１５の何れか１つの無線フレーム構成回路。
【０２３５】
１７．スケジューリングされた伝送タイムスロットが送信／受信タイムスロットである場合にｉ＝１であり、スケジューリングされた伝送タイムスロットが特別タイムスロットである場合にｉ＝２である、節１６の無線フレーム構成回路。
【０２３６】
１８．タイムスロットｎ内の所与のサブスロット位置で送信した／受信されたデータに対応するＨＡＲＱ−ＡＣＫ信号を送信／受信するように構成されたＨＡＲＱ回路であり、ＨＡＲＱ−ＡＣＫ信号はタイムスロットｎ＋ｊ内の同じ所与のサブスロット位置と関連付けられていて、ｊは、データに対応するタイムスロットが特別タイムスロットであるか送信／受信タイムスロットであるかに応じた、１以上の整数である、ＨＡＲＱ回路を備える、節１３から１７の何れか１つの無線フレーム構成回路。
【０２３７】
１９．データタイムスロットが送信／受信タイムスロットである場合にｊ＝１であり、データタイムスロットが特別タイムスロットである場合にｊ＝２である、節１８の無線フレーム構成回路。
【０２３８】
２０．節１の無線フレーム構成回路を備えるｅＮＢ。
【０２３９】
２１．節１から１９の何れか１つの無線フレーム構成回路を備えるＵＥ。
【０２４０】
２２．送受信機回路によって出力されるスロットシーケンスにおける、ある位置、ｎで、ＵＬ通信用にスケジューリング信号を受信するように構成されたスケジューリング回路を備え、スケジューリング回路は、タイムスロットｎ＋ｉを使用して対応するスケジューリングされた伝送を実行するように構成され、ｉは、ゼロより大きい整数であり、タイムスロット、ｎが、特別タイムスロットに対応するスロットタイプを有するか受信タイムスロットに対応するスロットタイプを有するかに応じて、ある値を有する、節２１のＵＥ。
【０２４１】
２３．送信タイムスロットが特別タイムスロットに対応する場合にｉ＝４であり、送信タイムスロットが送信タイムスロットに対応する場合にｉ＝５である、節２２のＵＥ。
【０２４２】
２４．一連のタイムスロットにおけるタイムスロットｎでＤＬ通信を受信し、タイムスロットｎ＋ｊでＨＡＲＱ−ＡＣＫ制御メッセージを送信するように構成されたＨＡＲＱ回路を備え、ｊは、ゼロより大きい整数であり、タイムスロット、ｎが、特別タイムスロットに対応するか受信タイムスロットに対応するかに応じて、ある値を有する、節２１から２３の何れか１つのＵＥ。
【０２４３】
２５．タイムスロットｎが特別タイムスロットに対応する場合にｊ＝４であり、タイムスロットｎが受信タイムスロットに対応する場合にｊ＝５である、節２４のＵＥ。
【０２４４】
２６．無線通信システムにおいて時分割複信通信、すなわちＴＤＤ通信を実行するための方法であって、
無線フレーム用に、複数の異なる時分割複信構成、すなわち複数の異なるＴＤＤ構成間を変化させる段階であり、複数の異なるＴＤＤ構成は、対応する無線フレーム内で、それぞれ異なる送信対受信比を提供し、各ＴＤＤ構成は、予め定められた一連の複数の異なるタイムスロット構造を有し、各タイムスロット構造は同じ送信時間間隔を含む、段階と、
無線通信システムにおいて、所与のＴＤＤ通信用に複数の異なるＴＤＤ構成うちの少なくとも１つを使用して別のデバイスとの送信および／または受信を実行する段階であり、少なくとも１つのＴＤＤ通信は、所与のＴＤＤ通信において複数の無線フレームを形成するのに使用され、これにより、所与のＴＤＤ通信中の情報送信と情報受信との間でのスイッチングの平均周期が、複数のＴＤＤ構成の１つから複数のＴＤＤ構成の別のものへの変化に関係なく同じとなる段階と、
を備える方法。
【０２４５】
２７．送信と受信との間のスイッチングの平均周期は、設定済みの送信時間間隔に等しい、又は、送信時間間隔の一部に等しい、節２６の方法。
【０２４６】
２８．複数のタイムスロット構造は、特別タイムスロット構造を含み、特別タイムスロット構造において、各タイムスロットは制御オンリー領域および制御及びデータ領域を有し、制御及びデータ領域は送信データおよび受信データの一方を含み、制御オンリー領域は送信制御情報および受信制御情報の他方を含み、制御オンリー領域は、送信時間間隔の３分の１未満を占める、節２６または節２７の方法。
【０２４７】
２９．異なるＴＤＤ構成は、所与のＴＤＤ通信において、複数のＴＤＤ構成の各々のために、ＨＡＲＱラウンドトリップ時間を送信時間間隔の１０倍に、又は、それより下に維持するように構成され、および／または、ＨＡＲＱ受信確認信号の多重化を最大で２つのＰＤＳＣＨ/ＰＵＳＣＨ伝送までに限定するように構成される、節２６から２８の何れか１つの方法。
【０２４８】
３０．ＵＥまたはｅＮＢの１つ又は複数のプロセッサにより実行されると、ＵＥまたはｅＮＢに、節２６から２９の何れか１つによる方法を実行させるプログラム命令を備える、非一時的コンピュータ可読媒体。
【０２４９】
３１．実行された場合に、プロセッサに、節２６から２９の何れか１つの方法を実行させる命令を備える、コンピュータ可読媒体。
【０２５０】
３２．媒体がストレージ媒体および送信媒体の一方である、節３１のコンピュータ可読媒体。
【０２５１】
３３．無線通信システムのデバイスで使用するための無線フレーム構成回路であって、
無線フレーム用に、複数の異なる時分割複信構成、すなわち複数の異なるＴＤＤ構成間のどれかを選択するための手段であり、複数の異なるＴＤＤ構成は、対応する無線フレーム内で、それぞれ異なる、合計受信持続時間に対する合計送信持続時間の比を提供し、各ＴＤＤ構成は、各々が設定済みスロット長を含む複数のタイムスロットを有する、手段と、
選択用の手段によって選択された複数のＴＤＤ構成を使用して、無線通信システムにおける別のデバイスとのＴＤＤ通信を実行し、これにより、制御回路によって実行された選択に起因して複数の異なるＴＤＤ構成のうちの異なる幾つかの間でスイッチングするにもかかわらず、ＴＤＤ通信中の情報送信と情報受信との間でのスイッチングの平均周期を同じにするための手段と
を備える無線フレーム構成回路。
【０２５２】
３４．無線通信ネットワークにおいて使用するためのＵＥであって、
ディスプレイと、
無線フレーム用に、複数の異なる時分割複信構成、すなわち複数の異なるＴＤＤ構成間のどれかを選択するための処理回路であり、複数の異なるＴＤＤ構成の異なる幾つかの間のスイッチングの許容周期は、無線フレーム長の半分と同程度に短く、各ＴＤＤ構成は、各々が設定済みスロット長を含む複数のタイムスロットを有し、各ＴＤＤ構成はそれぞれ、異なる予め定められた一連のスロットを有し、予め定められた一連のスロットのうちの複数のスロットは、第１のスロットセット、第２スロットセットおよび第３スロットセットから選択され、第３スロットセットは送信期間および受信期間を含み、送信データまたは受信データの一方を含む、処理回路と、
処理回路によって選択された複数のＴＤＤ構成を使用して、無線通信システムにおける別のデバイスとのＴＤＤ通信を実行し、これにより、任意の所与のＴＤＤ通信に対して、ＴＤＤ通信中の情報送信と情報受信との間でのスイッチングの平均周期を同じにする送信および／または受信回路と
を備えるＵＥ。
【０２５３】
３５．送信および／または受信回路は、最大２ＧＨｚのシステム帯域幅、および／または、１．５ＭＨｚのサブキャリア間隔をサポートしているＴＤＤ通信を実行するように構成される、節３４のＵＥ。
【０２５４】
３６．実質的にこれより前で添付の図面を参照して説明された、無線フレーム構成回路。
【０２５５】
３７．実質的にこれより前で添付の図面を参照して説明された、方法。
【０２５６】
３８．実質的にこれより前で添付の図面を参照して説明された、ｅＮｏｄｅＢ。
【０２５７】
３９．実質的にこれより前で添付の図面を参照して説明された、ＵＥ。
【０２５８】
１つ又は複数の実装についての上述の説明は、例示および説明を提供するが、それらが包括的なものであることを意図されておらず、又は、それらによって本発明の範囲を開示される詳細な形態に限定することを意図されていない。修正および変更は、上記の教示に照らして可能であり、又は、本発明の様々な実装を実施することから取得され得る。
【図１】
0006391073.tif 000005
【図２】
0006391073.tif 000006
【図３】
0006391073.tif 000007
【図４】
0006391073.tif 000008
【図５】
0006391073.tif 000009
【図６】
0006391073.tif 000010
【図７】
0006391073.tif 000011
【図８】
0006391073.tif 000012
【図９】
0006391073.tif 000013
【図１０】
0006391073.tif 000014
【図１１】
0006391073.tif 000015
【図１２】
0006391073.tif 000016
【図１３】
0006391073.tif 000017